(57)【特許請求の範囲】
【請求項１】
タッチパネルと、
前記タッチパネルと対応付けられ、時間的な位置又は空間的な位置が変化するコンテンツを表示する表示手段と、
ユーザにより前記タッチパネル上の異なる位置が連続して接触操作される一連の接触操作の開始時に前記表示手段に表示されているコンテンツの時間的な位置を取得する第１位置取得手段と、
前記一連の接触操作の終了時における前記タッチパネルのユーザの接触位置の座標と対応付けられている出力先に対して、前記第１位置取得手段により取得された前記コンテンツの時間的な位置に関連する位置関連情報を出力する第１位置出力手段と、
を備えることを特徴とする出力装置。
【請求項２】
前記出力先は、所定の通信回線を介して通信可能な外部装置であり、
前記第１位置出力手段は、前記外部装置に対して、前記位置関連情報を前記所定の通信回線を介して出力することを特徴とする請求項１に記載の出力装置。
【請求項３】
前記第１位置取得手段は、前記一連の接触操作の開始時における前記タッチパネルのユーザの接触位置の座標に対応し、前記表示手段に表示されているコンテンツの空間的な位置を取得し、
前記第１位置出力手段は、前記一連の接触操作の終了時における前記タッチパネルのユーザの接触位置の座標と対応付けられている出力先に対して、前記第１位置取得手段により取得された前記コンテンツの空間的な位置に関連する位置関連情報を出力することを特徴とする請求項１又は２に記載の出力装置。
【請求項４】
前記第１位置出力手段は、前記第１位置取得手段により前記コンテンツの時間的な位置又は空間的な位置が取得される毎に、前記コンテンツの互いに異なる時間的な位置又は空間的な位置に関連する位置関連情報として出力することを特徴とする請求項３に記載の出力装置。
【請求項５】
前記出力先は、前記表示手段に表示される所定の指標と対応付けられ、
前記第１位置出力手段は、前記一連の接触操作の終了時における前記タッチパネルのユーザの接触位置の座標が前記表示手段に表示されている前記所定の指標と重なる場合に、前記位置関連情報を前記所定の指標と対応付けられている出力先に出力することを特徴とする請求項４に記載の出力装置。
【請求項６】
前記一連の接触操作の終了時における前記タッチパネルのユーザの接触位置の座標が前記表示手段に表示されている前記所定の指標と重なる当該一連の接触操作の回数を計数する計数手段を更に備え、
前記第１位置出力手段は、前記計数手段により計数される前記一連の接触操作の回数に応じた付加情報を、前記位置関連情報に付加して出力することを特徴とする請求項５に記載の出力装置。
【請求項７】
前記第１位置取得手段による前記コンテンツの時間的な位置又は空間的な位置を取得する処理、及び前記第１位置出力手段による前記位置関連情報を出力する処理を行わせる第１の制御を行う制御手段と、
前記一連の接触操作が前記第１の制御を行うための操作であるか否かを判別する判別手段と、を更に備え、
前記制御手段は、前記判別手段により前記一連の接触操作が前記第１の制御を行うための操作であると判別された場合に、前記第１の制御を行うことを特徴とする請求項３〜５の何れか一項に記載の出力装置。
【請求項８】
前記一連の接触操作に応じて、前記表示手段上の座標とは異なる、前記表示手段に表示されている前記コンテンツの時間的な位置又は空間的な位置を変位させる表示制御を行う第１表示制御手段と、を更に備え、
前記制御手段は、前記判別手段により前記一連の接触操作が前記第１の制御を行うための操作でないと判別された場合に、前記第１表示制御手段による前記表示制御を行わせる第２の制御を行うことを特徴とする請求項７に記載の出力装置。
【請求項９】
前記コンテンツは、前記表示手段の表示領域よりも画像領域が広い静止コンテンツであり、
前記第１表示制御手段は、前記一連の接触操作に連動して、前記静止コンテンツのうちの前記表示手段の表示領域内に表示される画像領域を変位させる前記表示制御を行うとともに、前記一連の接触操作の終了時における前記タッチパネルのユーザの接触位置の座標が前記表示手段に表示されている所定の指標と重なる場合に、前記静止コンテンツのうちの前記表示手段の表示領域内に表示される画像領域が前記一連の接触操作前と同じ画像領域となるように前記表示制御を行うことを特徴とする請求項８に記載の出力装置。
【請求項１０】
前記タッチパネル上の直線状の前記一連の接触操作の向きを測定する測定手段を更に備え、
前記判別手段は、前記測定手段により測定される前記一連の接触操作の向きが所定の範囲内に向かうものである場合に、前記一連の接触操作が前記第１の制御を行うための操作であると判別することを特徴とする請求項７〜９の何れか一項に記載の出力装置。
【請求項１１】
前記出力先は、前記表示手段に表示される所定の指標と対応付けられ、
前記判別手段により前記一連の接触操作が前記第１の制御を行うための操作であると判別された場合に、前記所定の指標を前記表示手段に表示させる第２表示制御手段、を更に備えることを特徴とする請求項１０に記載の出力装置。
【請求項１２】
前記出力先は、前記表示手段に表示される所定の指標と対応付けられ、
ユーザの視線を検出する視線検出手段、を更に備え、
前記判別手段は、前記一連の接触操作の際に、前記視線検出手段により検出されるユーザの視線の先が前記表示手段に表示されている前記所定の指標である場合に、前記一連の接触操作が前記第１の制御を行うための操作であると判別することを特徴とする請求項７〜９の何れか一項に記載の出力装置。
【請求項１３】
前記出力先は、前記表示手段に表示される所定の指標と対応付けられ、
前記所定の指標と対応付けられている前記出力先に対して、前記第１位置出力手段により前記位置関連情報を出力可能であるか否かを識別可能な態様で当該所定の指標を前記表示手段に表示させる第３表示制御手段、を更に備えることを特徴とする請求項１〜１２の何れか一項に記載の出力装置。
【請求項１４】
前記第１位置出力手段は、前記位置関連情報とともに、前記コンテンツを特定するための情報を前記出力先に出力することを特徴とする請求項１〜１３の何れか一項に記載の出力装置。
【請求項１５】
前記一連の接触操作の開始時における前記タッチパネルのユーザの接触位置の座標が前記表示手段に表示されている前記所定の指標と重なり、且つ、前記一連の接触操作の終了時における前記タッチパネルのユーザの接触位置の座標が前記表示手段の表示領域の所定領域内である場合に、前記所定の指標に対応付けられている出力先を入力元として、前記第１位置出力手段から出力された前記位置関連情報を入力する位置入力手段と、
前記位置入力手段により入力された前記位置関連情報に基づいて、前記コンテンツの時間的な位置又は空間的な位置で当該コンテンツを前記表示手段に表示させる第４表示制御手段と、を更に備えることを特徴とする請求項５、１１、１２の何れか一項に記載の出力装置。
【請求項１６】
前記位置入力手段は、前記入力元の前記第１位置出力手段から出力される前記コンテンツの互いに異なる時間的な位置又は空間的な位置に関連する複数の前記位置関連情報の中から何れかを選択して入力することを特徴とする請求項１５に記載の出力装置。
【請求項１７】
前記所定の指標と対応付けられている前記入力元から、前記位置入力手段により前記位置関連情報を入力可能であるか否かを識別可能な態様で当該所定の指標を前記表示手段に表示させる第５表示制御手段を更に備えることを特徴とする請求項１５又は１６に記載の出力装置。
【請求項１８】
前記位置入力手段は、前記入力元の前記第１位置出力手段から出力された前記位置関連情報とともに前記コンテンツを特定するための情報を入力することを特徴とする請求項１５〜１７の何れか一項に記載の出力装置。
【請求項１９】
タッチパネルと対応付けられている表示手段を備える出力装置であって、
ユーザにより前記タッチパネル上の異なる位置が連続して接触操作される一連の接触操作の開始時における前記タッチパネルのユーザの接触位置を第１の位置として取得する第２位置取得手段と、
前記一連の接触操作の終了時における前記タッチパネルのユーザの接触位置の座標が前記表示手段に表示されている所定の指標と重なる当該一連の接触操作の回数を計数する計数手段と、
前記計数手段により計数される前記一連の接触操作の回数に応じた付加情報を、前記第２位置取得手段により取得された前記第１の位置に関連する位置関連情報に付加して、前記所定の指標と対応付けられている出力先に出力する第２位置出力手段と、
を備えることを特徴とする出力装置。
【請求項２０】
前記第２位置取得手段は、前記一連の接触操作の開始時に出力されているコンテンツの時間的な位置、又は、前記一連の接触操作の開始時における前記タッチパネルのユーザの接触位置の座標に対応する前記コンテンツの空間的な位置を前記第１の位置として取得することを特徴とする請求項１９に記載の出力装置。
【請求項２１】
前記第２位置出力手段は、前記計数手段により計数される前記一連の接触操作の回数に応じて、コンテンツの注目位置、出力開始位置及び出力終了位置のうちの何れかを示す付加情報を前記位置関連情報に付加して出力することを特徴とする請求項１９又は２０に記載の出力装置。
【請求項２２】
前記計数手段により計数される前記一連の接触操作の回数に応じて前記所定の指標の表示態様を変化させる第６表示制御手段を更に備えることを特徴とする請求項２０又は２１に記載の出力装置。
【請求項２３】
前記第２位置出力手段は、前記位置関連情報とともに、前記コンテンツを特定するための情報を前記出力先に出力することを特徴とする請求項２０〜２２の何れか一項に記載の出力装置。
【請求項２４】
タッチパネルと対応付けられ、時間的な位置又は空間的な位置が変化するコンテンツを表示する表示手段を備える出力装置を用いた出力方法であって、
ユーザにより前記タッチパネル上の異なる位置が連続して接触操作される一連の接触操作の開始時に前記表示手段に表示されているコンテンツの時間的な位置を取得する処理と、
前記一連の接触操作の終了時における前記タッチパネルのユーザの接触位置の座標と対応付けられている出力先に対して、取得された前記コンテンツの時間的な位置に関連する位置関連情報を出力する処理と、
を含むことを特徴とする出力方法。
【請求項２５】
タッチパネルと対応付けられている表示手段を備える出力装置を用いた出力方法であって、
ユーザにより前記タッチパネル上の異なる位置が連続して接触操作される一連の接触操作の開始時における前記タッチパネルのユーザの接触位置を第１の位置として取得する処理と、
前記一連の接触操作の終了時における前記タッチパネルのユーザの接触位置の座標が前記表示手段に表示されている所定の指標と重なる当該一連の接触操作の回数を計数する処理と、
計数される前記一連の接触操作の回数に応じた付加情報を、取得された前記第１の位置に関連する位置関連情報に付加して、前記所定の指標と対応付けられている出力先に出力する処理と、
を含むことを特徴とする出力方法。
【請求項２６】
タッチパネルと対応付けられ、時間的な位置又は空間的な位置が変化するコンテンツを表示する表示手段を備える出力装置のコンピュータに、
ユーザにより前記タッチパネル上の異なる位置が連続して接触操作される一連の接触操作の開始時に前記表示手段に表示されているコンテンツの時間的な位置を取得する機能、
前記一連の接触操作の終了時における前記タッチパネルのユーザの接触位置の座標と対応付けられている出力先に対して、取得された前記コンテンツの時間的な位置に関連する位置関連情報を出力する機能、
を実現させることを特徴とするプログラム。
【請求項２７】
タッチパネルと対応付けられている表示手段を備える出力装置を用いた出力方法のコンピュータに、
ユーザにより前記タッチパネル上の異なる位置が連続して接触操作される一連の接触操作の開始時における前記タッチパネルのユーザの接触位置を第１の位置として取得する機能、
前記一連の接触操作の終了時における前記タッチパネルのユーザの接触位置の座標が前記表示手段に表示されている所定の指標と重なる当該一連の接触操作の回数を計数する機能、
計数される前記一連の接触操作の回数に応じた付加情報を、取得された前記第１の位置に関連する位置関連情報に付加して、前記所定の指標と対応付けられている出力先に出力する機能、
を実現させることを特徴とするプログラム。
【発明の詳細な説明】
【技術分野】
【０００１】
本発明は、出力装置、出力方法及びプログラムに関する。
【背景技術】
【０００２】
近年、画像や音楽といったコンテンツを複数の装置やユーザ間で共有したいというニーズが高まっている。そこで、ネットワークを介して接続された送信装置と再生装置との間で、どのコンテンツかだけでなく、注目点のようにコンテンツのどの位置かを共有する技術が提案されている（例えば、特許文献１参照）。
【先行技術文献】
【特許文献】
【０００３】
【特許文献１】特開２０１３−１０２３４５号公報
【発明の概要】
【発明が解決しようとする課題】
【０００４】
しかしながら、上記特許文献等の場合、送信装置からコンテンツの注視点の位置を示す注視点情報を特定の再生装置に送信して共有するようになっているが、任意の装置との間で共有するようにすると、操作が煩雑となる虞がある。
【０００５】
本発明は、このような問題に鑑みてなされたものであり、本発明の課題は、コンテンツの時間的な位置又は空間的な位置を任意の出力先に対して容易に出力することができるようにすることである。
【課題を解決するための手段】
【０００６】
上記課題を解決するための本発明の一態様の出力装置は、
タッチパネルと、
前記タッチパネルと対応付けられ、時間的な位置又は空間的な位置が変化するコンテンツを表示する表示手段と、
ユーザにより前記タッチパネル上の異なる位置が連続して接触操作される一連の接触操作の開始時に前記表示手段に表示されているコンテンツの時間的な位置を取得する第１位置取得手段と、
前記一連の接触操作の終了時における前記タッチパネルのユーザの接触位置の座標と対応付けられている出力先に対して、前記第１位置取得手段により取得された前記コンテンツの時間的な位置に関連する位置関連情報を出力する第１位置出力手段と、
を備えることを特徴としている。
【発明の効果】
【０００７】
本発明によれば、コンテンツの時間的な位置又は空間的な位置を任意の出力先に対して容易に出力することができる。
【図面の簡単な説明】
【０００８】
【図１】本発明を適用した実施形態１のコンテンツ共有システムの概略構成を示す図である。
【図２】図１のコンテンツ共有システムを構成する表示装置の概略構成を示すブロック図である。
【図３】図２の表示装置による出力処理に係る動作の一例を示すフローチャートである。
【図４】図３の出力処理における表示例を模式的に示す図である。
【図５】図３の出力処理における表示例を模式的に示す図である。
【図６】図２の表示装置による入力処理に係る動作の一例を示すフローチャートである。
【図７】図６の入力処理における表示例を模式的に示す図である。
【図８】図６の入力処理における表示例を模式的に示す図である。
【図９】本発明を適用した実施形態２のコンテンツ共有システムを構成する表示装置の概略構成を示すブロック図である。
【図１０】図９の表示装置による出力処理に係る動作の一例を示すフローチャートである。
【図１１】図１０の出力処理における表示例を模式的に示す図である。
【図１２】図１０の出力処理における表示例を模式的に示す図である。
【図１３】変形例１の表示装置の概略構成を示すブロック図である。
【図１４】図１３の表示装置による出力処理における表示例を模式的に示す図である。
【図１５】変形例２の表示装置による出力処理における表示例を模式的に示す図である。
【図１６】本発明を適用した実施形態３のコンテンツ共有システムを構成する表示装置の概略構成を示すブロック図である。
【図１７】図１６の表示装置による出力処理に係る動作の一例を示すフローチャートである。
【図１８】図１７の出力処理における表示例を模式的に示す図である。
【図１９】本発明を適用した実施形態４のコンテンツ共有システムを構成する表示装置の概略構成を示すブロック図である。
【図２０】図１９の表示装置による出力処理に係る動作の一例を示すフローチャートである。
【図２１】図２０の出力処理における表示例を模式的に示す図である。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１のコンテンツ共有システム１００の概略構成を示すブロック図である。
図１に示すように、本実施形態のコンテンツ共有システム１００は、通信ネットワークＮを介して通信可能な複数の表示装置１、…（図１には、４つの表示装置１Ａ〜１Ｄを図示）を備えている。
【００１１】
複数の表示装置１、…は、例えば、スマートフォン、タブレット、ＰＤＡ（Personal Data Assistants）等から構成されているが、通信機能を具備するものであれば如何なるものであっても良い。また、複数の表示装置１、…は、必ずしも全ての表示装置１が同一である必要はない。
なお、複数の表示装置１、…は、構成及び動作は略同様であるため、以下に、代表して表示装置１Ａを例示して説明する。
【００１２】
図２は、表示装置１Ａの概略構成を示すブロック図である。
図２に示すように、表示装置１Ａは、具体的には、中央制御部１０１と、メモリ１０２と、記録部１０３と、表示部１０４と、操作入力部１０５と、通信制御部１０６と、第１動作処理部１０７とを備えている。
また、中央制御部１０１、メモリ１０２、記録部１０３、表示部１０４、操作入力部１０５、通信制御部１０６及び第１動作処理部１０７は、バスライン１０８を介して接続されている。
【００１３】
中央制御部１０１は、表示装置１Ａの各部を制御するものである。具体的には、中央制御部１０１は、図示は省略するが、ＣＰＵ（Central Processing Unit）等を備え、表示装置１Ａ用の各種処理プログラム（図示略）に従って各種の制御動作を行う。
【００１４】
メモリ１０２は、例えば、ＤＲＡＭ（Dynamic Random Access Memory）等により構成され、中央制御部１０１、第１動作処理部１０７等によって処理されるデータ等を一時的に格納する。
【００１５】
記録部１０３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。
なお、記録部１０３に記録されている画像データは、当該表示装置１Ａの図示しない撮像部により撮影されたものであっても良いし、外部の撮像装置（図示略）により撮影された後、当該表示装置１Ａに転送されて記録部１０３に記録されたものであっても良い。
【００１６】
また、記録部１０３は、例えば、記録媒体（図示略）が着脱自在に構成され、装着された記録媒体からのデータの読み出しや記録媒体に対するデータの書き込みを制御する構成であっても良い。
【００１７】
表示部１０４は、表示パネル１０４ａの表示領域に画像を表示する。
すなわち、表示部（表示手段）１０４は、図示しない画像処理部により復号された所定サイズの画像データに基づいて、動画像、静止画像やアプリケーション画面等のコンテンツを表示パネル１０４ａの表示領域に表示する。また、表示部１０４は、後述するように、第１動作処理部１０７の第１変位表示制御部１０７ｅ（後述）の制御下にて、ユーザによるタッチパネル１０５ａ（後述）のスワイプ操作に連動して、時間的な位置を変位させた動画像や空間的な位置を変位させた静止画像やアプリケーション画面等を表示パネル１０４ａの表示領域に表示する。また、表示部１０４は、動画像、静止画像やアプリケーション画面等のコンテンツの表示中に、当該コンテンツに重畳させて、このコンテンツの出力先と対応付けられているアイコン（所定の指標）Ｉｏを表示したり（図４（ｂ）参照）、コンテンツの表示前に、所定の背景画像に重畳させて、表示対象のコンテンツの入力元と対応付けられているアイコンＩｉを表示したりする（図４（ａ）参照）。
なお、アイコンＩｏ、Ｉｉの詳細については後述する。
【００１８】
なお、表示部１０４は、通信ネットワークＮに接続されている所定のサーバ装置（図示略）から通信制御部１０６を介して画像データを取得して、表示パネル１０４ａの表示領域に表示する構成であっても良い。
また、表示パネル１０４ａは、例えば、液晶表示パネルや有機ＥＬ（Electro-Luminescence）表示パネル等から構成されているが、一例であってこれらに限られるものではない。
【００１９】
操作入力部１０５は、当該表示装置１Ａの所定操作を行うためのものである。具体的には、操作入力部１０５は、電源のＯＮ／ＯＦＦ操作に係る電源ボタン、各種のモードや機能等の選択指示に係るボタン等（何れも図示略）を備えている。
そして、ユーザにより各種ボタンが操作されると、操作入力部１０５は、操作されたボタンに応じた操作指示を中央制御部１０１に出力する。中央制御部１０１は、操作入力部１０５から出力され入力された操作指示に従って所定の動作（例えば、動画像の再生等）を各部に実行させる。
【００２０】
また、操作入力部１０５は、表示部１０４の表示パネル１０４ａと一体となって設けられたタッチパネル１０５ａを有している。
タッチパネル１０５ａは、表示パネル１０４ａの表示領域をなす表示画面に直接的若しくは間接的に接触するユーザの指（手）やタッチペン等の接触位置を検出する。すなわち、タッチパネル１０５ａは、例えば、表示パネル１０４ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル１０５ａは、接触位置のＸＹ座標に係る位置信号を第１動作処理部１０７に出力する。
【００２１】
通信制御部１０６は、通信アンテナ１０６ａ及び通信ネットワークＮを介してデータの送受信を行う。
すなわち、通信アンテナ１０６ａは、当該表示装置１Ａが無線基地局（図示略）との通信で採用している所定の通信方式（例えば、Ｗ−ＣＤＭＡ（Wideband Code Division Multiple Access）方式、ＣＤＭＡ２０００方式、ＧＳＭ（Global System for Mobile Communications；登録商標）方式等）に対応したデータの送受信が可能なアンテナである。そして、通信制御部１０６は、所定の通信方式に対応する通信プロトコルに従って、この通信方式で設定される通信チャネルにより無線基地局との間で通信アンテナ１０６ａを介してデータの送受信を行う。
【００２２】
通信ネットワークＮは、例えば、表示装置１Ａを無線基地局やゲートウェイサーバ（図示略）等を介して他の表示装置１Ｂ〜１Ｄ等の外部装置と接続する通信ネットワークである。また、通信ネットワークＮは、専用線や既存の一般公衆回線を利用して構築された通信ネットワークであり、ＷＡＮ（Wide Area Network）やＬＡＮ（Local Area Network）等の様々な回線形態を適用することが可能である。
【００２３】
なお、上記した通信制御部１０６の構成は、一例であってこれに限られるものではなく、適宜任意に変更可能であり、例えば、図示は省略するが、無線ＬＡＮモジュールやBluetooth（登録商標）モジュールを搭載しても良い。
すなわち、無線ＬＡＮモジュールは、アクセスポイント（図示略）を介して通信ネットワークＮにアクセス可能な構成としても良いし、アクセスポイントを経由せずに直接他の表示装置１Ｂ〜１Ｄ等の外部装置との間で無線通信回線を構築するPeer to Peer（アドホックモード）で動作しても良い。また、Bluetoothモジュールは、Bluetoothの通信規格に基づいて、他の表示装置１Ｂ〜１Ｄ等の外部装置との間で同期通信方式の無線通信を行っても良い。
【００２４】
第１動作処理部１０７は、第１位置取得部１０７ａと、第１位置出力部１０７ｂと、測定部１０７ｃと、第１判別部１０７ｄと、第１変位表示制御部１０７ｅと、指標表示制御部１０７ｆと、第１動作制御部１０７ｇと、位置入力部１０７ｈと、第１位置表示制御部１０７ｉとを具備している。
なお、第１動作処理部１０７の各部は、例えば、所定のロジック回路から構成されているが、当該構成は一例であってこれに限られるものではない。
【００２５】
第１位置取得部１０７ａは、動画像の時間的な位置を取得する。
すなわち、第１位置取得部（第１位置取得手段）１０７ａは、ユーザによりタッチパネル１０５ａ上の異なる位置が連続して接触操作されるスワイプ操作（一連の接触操作）の開始時に出力されている動画像（コンテンツ）の時間的な位置を取得する。具体的には、表示部１０４による動画像の表示中（再生中）に、ユーザによるタッチパネル１０５ａのスワイプ操作が開始されると、タッチパネル１０５ａは、スワイプ操作に応じてユーザにより接触操作されたそれぞれの接触位置のＸＹ座標に係る位置信号を第１動作処理部１０７に出力する。第１位置取得部１０７ａは、スワイプ操作の開始時にタッチパネル１０５ａから出力された位置信号が入力されると、表示部１０４に表示されている動画像の再生時間、つまり、動画像の再生が開始されてから経過した時間を表示部１０４から取得する。
【００２６】
第１位置出力部１０７ｂは、動画像の時間的な位置に関連する位置関連情報を出力する。
すなわち、第１位置出力部（第１位置出力手段）１０７ｂは、スワイプ操作の終了時におけるタッチパネル１０５ａのユーザの接触位置の座標と対応付けられている出力先（例えば、他の表示装置１Ｂや記録部１０３等）に対して、第１位置取得部１０７ａにより取得された動画像の時間的な位置に関連する位置関連情報を出力する。
具体的には、タッチパネル１０５ａは、スワイプ操作に応じてユーザにより接触操作されたそれぞれの接触位置のＸＹ座標に係る位置信号を第１動作処理部１０７に出力する。第１動作処理部１０７は、スワイプ操作の終了時にタッチパネル１０５ａから出力された位置信号が入力されると、入力された位置信号に係るタッチパネル１０５ａのユーザの接触位置の座標が表示部１０４に表示されているアイコンＩｏと重なるか否かを判別する。ユーザの接触位置の座標がアイコンＩｏと重なる場合には、第１位置出力部１０７ｂは、第１位置取得部１０７ａにより取得された動画像の時間的な位置に関連する位置関連情報を、ユーザの接触位置が重なったアイコンＩｏと対応付けられている出力先、例えば、他の表示装置１Ｂ等の外部装置に対して、通信ネットワークＮ及び通信制御部１０６を介して出力する。
ここで、位置関連情報は、動画像の時間的な位置である動画像の再生時間を直接的に表す情報であっても良いし、動画像の再生残り時間等の動画像の再生時間を関節的に表す情報であっても良い。
【００２７】
なお、第１位置出力部１０７ｂは、位置関連情報とともに、表示部１０４に表示されている動画像を特定するためのコンテンツ特定情報（例えば、動画像のファイル名、格納先のアドレス等）を出力先（例えば、他の表示装置１Ｂ等）に出力しても良い。
【００２８】
測定部１０７ｃは、スワイプ操作の向きを測定する。
すなわち、測定部（測定手段）１０７ｃは、ユーザによるタッチパネル１０５ａ上の直線状のスワイプ操作の向きを測定する。具体的には、タッチパネル１０５ａは、スワイプ操作に応じてユーザにより接触操作されたそれぞれの接触位置のＸＹ座標に係る位置信号を第１動作処理部１０７に出力する。測定部１０７ｃは、タッチパネル１０５ａから逐次出力される位置信号を逐次入力する。そして、測定部１０７ｃは、例えば、スワイプ操作の開始直後から逐次入力された位置信号に基づいて、ユーザによるタッチパネル１０５ａ上の直線状のスワイプ操作の向き、つまり、スワイプ操作の開始位置からのスワイプ操作の方向を測定する。
【００２９】
第１判別部１０７ｄは、スワイプ操作が第１の制御を行うための操作であるか否かを判別する。
すなわち、第１判別部（判別手段）１０７ｄは、スワイプ操作が第１動作制御部１０７ｇ（後述）による第１の制御を行うための操作であるか否かを判別する。具体的には、第１判別部１０７ｄは、測定部１０７ｃにより測定されるスワイプ操作の向きが所定の範囲内に向かうものである場合に、スワイプ操作が第１の制御を行うための操作であると判別する。
例えば、図４（ｂ）等に示すように、略矩形状のタッチパネル１０５ａは、スワイプ操作の開始時におけるユーザの接触位置の座標と四つの頂点とを結ぶ四本の直線（図中、模式的に破線で示すが、実際には表示されない）により「１」〜「４」と表された四つの範囲に区分される。そして、第１判別部１０７ｄは、測定部１０７ｃにより測定されるスワイプ操作の向きが四つの範囲のうちの何れの範囲内に向かうものであるかを特定する。例えば、ユーザによるスワイプ操作が、スワイプ操作の開始時におけるユーザの接触位置の座標を基準として左右両側の二つの範囲（図中、「２」、「４」と表された範囲）の何れかに向かうものである場合、第１判別部１０７ｄは、スワイプ操作が第１の制御を行うための操作であると判別する。一方、例えば、ユーザによるスワイプ操作が、スワイプ操作の開始時におけるユーザの接触位置の座標を基準として上下両側の二つの範囲（図中、「１」、「３」と表された範囲）の何れかに向かうものである場合、第１判別部１０７ｄは、スワイプ操作が第１の制御を行うための操作でないと判別する。
【００３０】
なお、タッチパネル１０５ａを四つの範囲に区分したが、一例であってこれに限られるものではなく、適宜任意に変更可能である。例えば、出力先や入力元のアイコンＩｏ、Ｉｉが表示される範囲とそれ以外の範囲との二つの範囲に区分し、スワイプ操作が出力先アイコンＩｏが表示される範囲に向かうものである場合、第１判別部１０７ｄは、スワイプ操作が第１の制御を行うための操作であると判別しても良い。
【００３１】
第１変位表示制御部１０７ｅは、動画像の時間的な位置を変位させる。
すなわち、第１変位表示制御部（第１表示制御手段）１０７ｅは、ユーザによるタッチパネル１０５ａ上のスワイプ操作に応じて、表示部１０４上の座標とは異なる、表示部１０４に表示されている動画像の時間的な位置を変位させる表示制御を行う。具体的には、タッチパネル１０５ａは、スワイプ操作に応じてユーザにより接触操作されたそれぞれの接触位置のＸＹ座標に係る位置信号を第１動作処理部１０７に出力する。そして、第１変位表示制御部１０７ｅは、タッチパネル１０５ａから逐次出力されて逐次入力される位置信号に応じて、表示部１０４に表示されている動画像の送り再生を行う。
ここで、動画像の送り再生は、動画像を通常の再生速度に対して高速或いは低速で順方向或いは逆方向に再生することを言い、タッチパネル１０５ａ上のユーザによる接触操作の態様、例えば、スワイプ速度、スワイプ量及びスワイプ方向等に応じて、動画像の再生速度や再生方向が変化する。例えば、第１変位表示制御部１０７ｅは、スワイプ速度が高速なほど、或いは、スワイプ量が大きいほど動画像の再生速度を高速にし、また、スワイプ方向が所定方向（例えば、上方向等）の場合に動画像を順方向に送り再生する一方で、スワイプ方向が所定方向と反対方向（例えば、下方向等）の場合に逆方向に送り再生する。
【００３２】
指標表示制御部１０７ｆは、コンテンツの出力先や入力元と対応付けられているアイコンＩｏ、Ｉｉを表示部１０４に表示させる。また、指標表示制御部１０７ｆは、コンテンツの出力が可能な状態である場合に、アイコンＩｏを表示部１０４に表示し、コンテンツの入力が可能な状態である場合に、アイコンＩｉを表示部１０４に表示させる。
すなわち、指標表示制御部（第２表示制御手段）１０７ｆは、第１判別部１０７ｄによりスワイプ操作が第１動作制御部１０７ｇによる第１の制御を行うための操作であると判別された場合に、動画像（コンテンツ）の出力先と対応付けられているアイコンＩｏを表示部１０４に表示させる。このとき、指標表示制御部（第３表示制御手段）１０７ｆは、アイコンＩｏと対応付けられている位置関連情報の出力先に対して、第１位置出力部１０７ｂにより位置関連情報を出力可能であるか否かを識別可能な態様で当該アイコンＩｏを表示部１０４に表示させても良い。
また、指標表示制御部１０７ｆは、例えば、コンテンツの表示前やユーザによりタッチパネル１０５ａが接触操作される前には、位置関連情報の入力元と対応付けられているアイコンＩｉを表示部１０４に表示させる。このとき、指標表示制御部（第５表示制御手段）１０７ｆは、アイコンＩｉと対応付けられている入力元から、位置入力部１０７ｈ（後述）により位置関連情報を入力可能であるか否かを識別可能な態様で当該アイコンＩｉを表示部１０４に表示させても良い。
【００３３】
ここで、アイコンＩｏ、Ｉｉの配置及び形状について、図４（ａ）及び図４（ｂ）を参照して説明する。
アイコンＩｏ、Ｉｉは、例えば、表示部１０４の表示領域の左右方向の一端（図中、向かって右端）に縦列で配置される。
出力先と対応付けられているアイコンＩｏは、例えば、表示領域の左右方向の一端側に一頂点が配置された外向きに凸の三角形状をなし、内側に出力先の名称や機能等が付されている。なお、出力先の名称は、出力先の名称の略称であっても良く、例えば、表示装置１Ｄの場合にはアイコンＩｏの内側に「Ｄ」と付される。また、出力先の機能としては、例えば、記録部１０３によるデータの保存が挙げられ、この場合には、内側に「保存」と表された保存アイコンＩｒが表示される。以下、アイコンＩｏとのみ記載している場合も、保存アイコンＩｒも含まれているものとする。
また、入力元と対応付けられているアイコンＩｉは、例えば、表示領域の左右方向の一端側に二頂点が配置された内向きに凸の三角形状をなし、同様に、内側に入力元の名称が付されている。なお、入力元の名称は、出力先と同様に、入力元の名称の略称であっても良く、例えば、表示装置１Ｃの場合にはアイコンＩｉの内側に「Ｃ」と付される。また、入力元の機能としては、例えば、記録部１０３によるデータの保存が挙げられ、この場合には、内側に「保存」と表された保存アイコンＩｒが表示される。以下、アイコンＩｉとのみ記載している場合も、保存アイコンＩｒも含まれているものとする。
【００３４】
そして、例えば、コンテンツの表示前やユーザによりタッチパネル１０５ａが接触操作される前において、指標表示制御部１０７ｆは、位置関連情報の入力元と対応付けられ、位置関連情報を入力可能であることを表す内向きに凸の三角形状のアイコンＩｉを表示部１０４に表示させる（図４（ａ）参照）。その後、ユーザによりタッチパネル１０５ａのスワイプ操作が開始されると、アイコンＩｉを表示部１０４から消去して、第１判別部１０７ｄによりスワイプ操作が第１動作制御部１０７ｇによる第１の制御を行うための操作であると判別されると、指標表示制御部１０７ｆは、位置関連情報の出力先と対応付けられ、位置関連情報を出力可能であることを表す外向きに凸の三角形状のアイコンＩｏを表示部１０４に表示させる（図４（ｂ）参照）。
なお、アイコンＩｏ、Ｉｒ、Ｉｉの表示は、例えば、ＯＳＤ（on-screen display）表示により行われるが、一例であってこれに限られるものではなく、適宜任意に変更可能である。
【００３５】
第１動作制御部１０７ｇは、第１の制御や第２の制御を行う。
すなわち、第１動作制御部（制御手段）１０７ｇは、第１位置取得部１０７ａによる動画像の時間的な位置を取得する処理、及び第１位置出力部１０７ｂによる位置関連情報を出力する処理を行わせる第１の制御を行ったり、第１変位表示制御部１０７ｅによる動画像の表示制御を行わせる第２の制御を行う。
具体的には、表示部１０４による動画像の表示中に、ユーザによるタッチパネル１０５ａのスワイプ操作が開始され、第１判別部１０７ｄによりスワイプ操作が第１の制御を行うための操作であると判別されると、第１動作制御部１０７ｇは、スワイプ操作の開始時に表示部１０４に表示されている動画像の再生時間を第１位置取得部１０７ａにより取得させる。そして、スワイプ操作の終了時におけるタッチパネル１０５ａのユーザの接触位置の座標が、表示部１０４に表示されているアイコンＩｏと重なると、第１動作制御部１０７ｇは、アイコンＩｏと対応付けられている出力先（例えば、他の表示装置１Ｂ等）に位置関連情報を第１位置出力部１０７ｂにより出力させる。
一方、第１判別部１０７ｄによりスワイプ操作が第１の制御を行うための操作でないと判別されると、第１動作制御部１０７ｇは、ユーザによるスワイプ操作に応じて、表示部１０４に表示されている動画像の送り再生を行って、動画像の時間的な位置を変位させる表示制御を第１変位表示制御部１０７ｅに行わせる。
【００３６】
位置入力部１０７ｈは、外部装置から出力された位置関連情報を入力する。
すなわち、位置入力部（位置入力手段）１０７ｈは、スワイプ操作の開始時におけるタッチパネル１０５ａのユーザの接触位置の座標が表示部１０４に表示されているアイコンＩｉと重なり、且つ、スワイプ操作の終了時におけるタッチパネル１０５ａのユーザの接触位置の座標が表示部１０４の表示領域の所定領域内である場合に、アイコンＩｉと対応付けられ、通信ネットワークＮを介して通信可能な入力元（例えば、他の表示装置１Ｂ等）の第１位置出力部１０７ｂから出力された位置関連情報を入力する。具体的には、例えば、コンテンツの表示前やユーザによりタッチパネル１０５ａが接触操作される前には、表示部１０４は、位置関連情報の入力元と対応付けられているアイコンＩｉを表示する。ここで、ユーザによりタッチパネル１０５ａが接触操作されて、ユーザの接触位置の座標が表示部１０４に表示され、入力元と対応付けられているアイコンＩｉと重なると、表示部１０４は、例えば、内側に「保存」と表記され、入力元から入力される位置関連情報を保存（出力）するための外向きに凸の三角形状の保存アイコンＩｒを表示しても良い（図７（ｂ）参照）。
そして、アイコンＩｉと重なった状態からユーザによるタッチパネル１０５ａのスワイプ操作が開始されると、タッチパネル１０５ａは、スワイプ操作に応じてユーザにより接触操作されたそれぞれの接触位置のＸＹ座標に係る位置信号を第１動作処理部１０７に出力する。第１動作処理部１０７は、スワイプ操作の終了時にタッチパネル１０５ａから出力された位置信号が入力されると、入力された位置信号に係るタッチパネル１０５ａのユーザの接触位置の座標が表示部１０４の表示領域の所定領域（例えば、アイコンＩｉが表示されていない略中央領域）内であるか否かを判別する。ユーザの接触位置の座標が表示部１０４の表示領域の所定領域内である場合には、位置入力部１０７ｈは、スワイプ操作の開始時に接触操作されたアイコンＩｉと対応付けられた入力元（例えば、他の表示装置１Ｂ等）の第１位置出力部１０７ｂから通信ネットワークＮを介して送信され通信制御部１０６により受信された位置関連情報を取得して入力する。
なお、スワイプ操作の終了時に入力された位置信号に係るタッチパネル１０５ａのユーザの接触位置の座標が、表示部１０４に表示されている位置関連情報を保存するための保存アイコンＩｒと重なる場合には、位置入力部１０７ｈは、入力された位置関連情報を記録部１０３に出力して、記録部１０３に記録させる。
【００３７】
また、アイコンＩｉと対応付けられた入力元から動画像の互いに異なる時間的な位置に関連する複数の位置関連情報を入力可能な場合には、ユーザによるスワイプ操作の際に、ユーザの接触位置の座標が表示部１０４に表示された当該入力元と対応付けられたアイコンＩｉと重なると、表示部１０４は、入力元から入力可能な複数の位置関連情報を一覧表示しても良い。そして、位置入力部１０７ｈは、表示部１０４に表示されている複数の位置関連情報の中で、ユーザによるタッチパネル１０５ａの接触操作に基づいて何れかの位置関連情報を選択する。そして、位置入力部１０７ｈは、上記したように、スワイプ操作の終了時におけるタッチパネル１０５ａのユーザの接触位置の座標が表示部１０４の表示領域の所定領域内である場合に、選択された位置関連情報を入力元から通信ネットワークを介して送信され通信制御部１０６により受信された位置関連情報を取得して入力する。
ここで、入力元からの位置関連情報の受信自体は、ユーザによるスワイプ操作前に既に行われていても良く、この場合には、通信制御部１０６により受信された位置関連情報がメモリ１０２に一時的に記録されるようにしておき、位置入力部１０７ｈは、メモリ１０２から位置関連情報を取得するようにしても良い。
【００３８】
なお、入力元（例えば、他の表示装置１Ｂ等）から動画像を特定するためのコンテンツ特定情報（例えば、動画像のファイル名、格納先のアドレス等）が出力された場合には、位置入力部１０７ｈは、入力元の第１位置出力部１０７ｂから出力された位置関連情報とともにコンテンツ特定情報を入力しても良い。
【００３９】
第１位置表示制御部１０７ｉは、動画像の時間的な位置で当該動画像を表示部１０４に表示させる。
すなわち、第１位置表示制御部（第４表示制御手段）１０７ｉは、位置入力部１０７ｈにより入力された位置関連情報に基づいて、動画像の時間的な位置で当該動画像を表示部１０４に表示させる。具体的には、第１位置表示制御部１０７ｉは、例えば、位置関連情報とともに入力されたコンテンツ特定情報（例えば、動画像のファイル名、格納先のアドレス等）に基づいて動画像を特定し、特定された動画像を位置関連情報により表されている動画像の時間的な位置（動画像の再生時間）で表示部１０４に表示させる。つまり、表示部１０４には、位置関連情報により表されている再生時間から動画像が表示された状態となる。
【００４０】
＜出力処理＞
次に、表示装置１Ａによる出力処理について、図３〜図５（ｂ）を参照して説明する。
図３は、出力処理に係る動作の一例を示すフローチャートである。また、図４（ａ）〜図５（ｂ）は、出力処理における表示部１０４の表示例を模式的に示す図である。
【００４１】
図３に示すように、先ず、例えば、記録部１０３に記録されている動画像のうち、ユーザによる操作入力部１０５の所定操作に基づいて表示対象となる動画像が指定されると（ステップＳ１）、表示部１０４は、指定された動画像を記録部１０３から読み出して、図示しない画像処理部により復号された動画像を構成する複数のフレーム画像を所定の再生フレームレート（例えば、３０ｆｐｓ等）で表示パネル１０４ａに表示させる（ステップＳ２；図４（ａ）参照）。
ここで、表示部１０４は、位置関連情報の入力元と対応付けられ、位置関連情報を入力可能であることを表す内向きに凸の三角形状のアイコンＩｉ（図４（ａ）等参照）を表示しても良い。この場合、ステップＳ１にて、入力元と対応付けられているアイコンＩｉが接触操作されて表示領域内にスワイプ操作されることで、入力元から位置関連情報を入力する入力処理（図６参照；詳細後述）を行って、当該位置関連情報に対応する動画像を表示対象として指定しても良い。また、例えば、外部のサーバによりインターネット上に開設されているＷｅｂページ上の動画像が表示対象として指定されても良い。
そして、表示部１０４は、例えば、表示対象として指定された動画像を通信ネットワークを介して外部の装置から取得して、上記と同様に動画像を複数のフレーム画像を所定の再生フレームレートで表示パネル１０４ａに表示させても良い。
【００４２】
次に、第１動作処理部１０７は、ユーザによるタッチパネル１０５ａのスワイプ操作が開始されたか否かを判別する（ステップＳ３）。例えば、第１動作処理部１０７は、ユーザによりタッチパネル１０５ａがスワイプ操作されることで逐次出力された接触位置のＸＹ座標に係る位置信号が逐次入力されたか否かに応じて判別する。
ここで、ユーザによるタッチパネル１０５ａのスワイプ操作が開始されていないと判別されると（ステップＳ３；ＮＯ）、第１動作処理部１０７は、処理をステップＳ２に戻し、表示部１０４は、上記と同様に、動画像を表示する。
第１動作処理部１０７は、ユーザによるタッチパネル１０５ａのスワイプ操作が開始されたか否かを判別する処理を所定の時間間隔で繰り返し実行する。
【００４３】
ステップＳ３にて、ユーザによるタッチパネル１０５ａのスワイプ操作が開始されたと判別されると（ステップＳ３；ＹＥＳ）、測定部１０７ｃは、スワイプ操作の開始直後から逐次入力された位置信号に基づいて、ユーザによるタッチパネル１０５ａ上の直線状のスワイプ操作の向きを測定する（ステップＳ４）。なお、スワイプ操作にてユーザによりタッチパネル１０５ａが接触操作された時点で、表示部１０４は、表示されている動画像を一時停止させても良い。
続けて、第１判別部１０７ｄは、スワイプ操作の向きが所定の範囲内に向かうものであるか否かを判別する（ステップＳ５）。例えば、第１判別部１０７ｄは、ユーザによるスワイプ操作が、スワイプ操作の開始時におけるユーザの接触位置の座標を基準として区分された「１」〜「４」の四つの範囲のうち、左右両側の「２」、「４」の二つの範囲の何れかに向かうものであるか否かを判別する。
【００４４】
ステップＳ５にて、スワイプ操作の向きが所定の範囲内に向かうものであると判別されると（ステップＳ５；ＹＥＳ）、第１動作制御部１０７ｇは、第１の制御を行い、第１位置取得部１０７ａは、スワイプ操作の開始時に表示部１０４に表示されている動画像の時間的な位置、例えば、動画像の再生時間を表示部１０４から取得する（ステップＳ６）。
続けて、指標表示制御部１０７ｆは、位置関連情報の出力先と対応付けられ、位置関連情報を出力可能であることを表す外向きに凸の三角形状のアイコンＩｏや保存アイコンＩｒを表示部１０４に表示させる（ステップＳ７；図４（ｂ）参照）。ここでの出力先は、例えば、他の表示装置１Ｂ、１Ｄや位置関連情報が保存される記録部１０３が挙げられる。
【００４５】
その後、第１動作処理部１０７は、ユーザによるタッチパネル１０５ａのスワイプ操作が終了したか否かを判別する（ステップＳ８）。スワイプ操作が終了したとは、タッチパネル１０５ａがユーザにより接触操作されていない非接触状態のことであり、例えば、第１動作処理部１０７は、タッチパネル１０５ａから出力される位置信号の入力の有無に応じて判別する。
ここで、ユーザによるタッチパネル１０５ａのスワイプ操作が終了していないと判別されると（ステップＳ８；ＮＯ）、第１動作処理部１０７は、処理をステップＳ８に戻し、ユーザによるタッチパネル１０５ａのスワイプ操作が終了したか否かを判別する処理を所定の時間間隔で繰り返し実行する。
【００４６】
ステップＳ８にて、ユーザによるタッチパネル１０５ａのスワイプ操作が終了したと判別されると（ステップＳ８；ＹＥＳ）、第１動作処理部１０７は、スワイプ操作の終了時にタッチパネル１０５ａから出力されて入力された位置信号に係るタッチパネル１０５ａのユーザの接触位置の座標が表示部１０４に表示されている出力先のアイコンＩｏと重なるか否かを判別する（ステップＳ９）。
ここで、ユーザの接触位置の座標が出力先のアイコンＩｏと重なると判別されると（ステップＳ９；ＹＥＳ）、第１位置出力部１０７ｂは、ユーザの接触位置が重なったアイコンＩｏと対応付けられている出力先に対して、第１位置取得部１０７ａにより取得された動画像の時間的な位置に関連する位置関連情報及び動画像を特定するためのコンテンツ特定情報（例えば、動画像のファイル名、格納先のアドレス等）を出力する（ステップＳ１０；図５（ａ）参照）。例えば、ユーザの接触位置がアイコンＩｏと重なった場合には、第１位置出力部１０７ｂは、アイコンＩｏと対応付けられている出力先（例えば、他の表示装置１Ｂ等）に対して、位置関連情報及びコンテンツ特定情報を通信ネットワークＮ及び通信制御部１０６を介して出力する。また、例えば、ユーザの接触位置が保存アイコンＩｒと重なった場合には、第１位置出力部１０７ｂは、保存アイコンＩｒと対応付けられている出力先（記録部１０３）に対して、位置関連情報及びコンテンツ特定情報を出力し、記録部１０３は、位置関連情報及びコンテンツ特定情報を記録する。
【００４７】
その後、第１動作処理部１０７は、ユーザによる操作入力部１０５の所定操作に基づいて、表示部１０４による動画像の表示の終了が指示されたか否かを判別する（ステップＳ１１）。また、ステップＳ９にて、ユーザの接触位置の座標が出力先のアイコンＩｏと重ならないと判別されると（ステップＳ９；ＮＯ）、第１動作処理部１０７は、ステップＳ１０の処理をスキップし、ステップＳ１１にて、表示部１０４による動画像の表示の終了が指示されたか否かを判別する。
ここで、表示部１０４による動画像の表示の終了が指示されていないと判別されると（ステップＳ１１；ＮＯ）、第１動作処理部１０７は、処理をステップＳ２に戻し、表示部１０４は、上記と同様に、動画像を表示する。
【００４８】
一方、ステップＳ５にて、スワイプ操作の向きが所定の範囲内に向かうものでないと判別されると（ステップＳ５；ＮＯ）、第１動作制御部１０７ｇは、第２の制御を行い、第１変位表示制御部１０７ｅは、タッチパネル１０５ａから逐次出力されて逐次入力される位置信号に応じて、表示部１０４に表示されている動画像の時間的な位置を変位させる送り再生を行う（ステップＳ１２；図５（ｂ）参照）。
その後、第１動作処理部１０７は、ユーザによるタッチパネル１０５ａのスワイプ操作が終了したか否かを判別する（ステップＳ１３）。
ここで、ユーザによるタッチパネル１０５ａのスワイプ操作が終了していないと判別されると（ステップＳ１３；ＮＯ）、第１変位表示制御部１０７ｅは、処理をステップＳ１２に戻し、タッチパネル１０５ａから逐次出力されて逐次入力される位置信号に応じて、表示部１０４に表示されている動画像の時間的な位置を変位させる送り再生を行う。
【００４９】
一方、ステップＳ１３にて、ユーザによるタッチパネル１０５ａのスワイプ操作が終了したと判別されると（ステップＳ１３；ＹＥＳ）、第１動作処理部１０７は、処理をステップＳ１１に移行し、表示部１０４による動画像の表示の終了が指示されたか否かを判別する（ステップＳ１１）。
【００５０】
ステップＳ１１にて、表示部１０４による動画像の表示の終了が指示されたと判別されると（ステップＳ１１；ＹＥＳ）、第１動作処理部１０７は、当該出力処理を終了する。
【００５１】
＜入力処理＞
次に、表示装置１Ａによる入力処理について、図６〜図８（ｂ）を参照して説明する。
図６は、入力処理に係る動作の一例を示すフローチャートである。また、図７（ａ）〜図８（ｂ）は、入力処理における表示部１０４の表示例を模式的に示す図である。
【００５２】
図６に示すように、先ず、例えば、コンテンツの表示前やユーザによりタッチパネル１０５ａが接触操作される前には、指標表示制御部１０７ｆは、位置関連情報の入力元と対応付けられ、位置関連情報を入力可能であることを表す内向きに凸の三角形状のアイコンＩｉ（図７（ａ）等参照）を表示部１０４に表示させる（ステップＳ２１）。
【００５３】
次に、第１動作処理部１０７は、ユーザによるタッチパネル１０５ａのスワイプ操作が開始されたか否かを判別する（ステップＳ２２）。ここでの判別処理は、上記した出力処理におけるステップＳ３の処理と略同様である。
ここで、ユーザによるタッチパネル１０５ａのスワイプ操作が開始されていないと判別されると（ステップＳ２２；ＮＯ）、第１動作処理部１０７は、処理をステップＳ２２に戻し、ユーザによるタッチパネル１０５ａのスワイプ操作が開始されたか否かを判別する処理を所定の時間間隔で繰り返し実行する。
【００５４】
ステップＳ２２にて、ユーザによるタッチパネル１０５ａのスワイプ操作が開始されたと判別されると（ステップＳ２２；ＹＥＳ）、第１動作処理部１０７は、スワイプ操作の開始時にタッチパネル１０５ａから出力されて入力された位置信号に係るタッチパネル１０５ａのユーザの接触位置の座標が表示部１０４に表示されている入力元のアイコンＩｉ（例えば、他の表示装置１Ｂを表すアイコンＩｉ等）と重なるか否かを判別する（ステップＳ２３）。
ここで、ユーザの接触位置の座標が入力元のアイコンＩｉと重なると判別されると（ステップＳ２３；ＹＥＳ）、指標表示制御部１０７ｆは、入力元から入力される位置関連情報を保存するための外向きに凸の三角形状の保存アイコンＩｒを表示部１０４に表示させる（ステップＳ２４；図７（ｂ）参照）。
【００５５】
その後、第１動作処理部１０７は、ユーザによるタッチパネル１０５ａのスワイプ操作が終了したか否かを判別する（ステップＳ２５）。ここでの判別処理は、上記した出力処理におけるステップＳ８の処理と略同様である。
ここで、ユーザによるタッチパネル１０５ａのスワイプ操作が終了していないと判別されると（ステップＳ２５；ＮＯ）、第１動作処理部１０７は、処理をステップＳ２５に戻し、ユーザによるタッチパネル１０５ａのスワイプ操作が終了したか否かを判別する処理を所定の時間間隔で繰り返し実行する。
一方、ステップＳ２５にて、ユーザによるタッチパネル１０５ａのスワイプ操作が終了したと判別されると（ステップＳ２５；ＹＥＳ）、第１動作処理部１０７は、スワイプ操作の終了時におけるタッチパネル１０５ａのユーザの接触位置に応じて処理を分岐させる（ステップＳ２６）。
すなわち、ユーザの接触位置の座標が表示部１０４の表示領域の所定領域内である場合（ステップＳ２６；所定領域内；図８（ａ）参照）、処理をステップＳ２７１に移行し、一方、ユーザの接触位置の座標が表示部１０４に表示されている保存アイコンＩｒと重なる場合（ステップＳ２６；保存アイコンＩｒ；図８（ｂ）参照）、処理をステップＳ２８１に移行する。また、ユーザの接触位置の座標が表示部１０４の表示領域の所定領域内、保存アイコンＩｒのいずれでもない場合（ステップＳ２６；いずれでもない）、入力処理を終了する。
【００５６】
＜所定領域内＞
ユーザの接触位置の座標が表示部１０４の表示領域の所定領域内である場合（ステップＳ２６；所定領域内）、位置入力部１０７ｈは、スワイプ操作の開始時に接触操作されたアイコンＩｉと対応付けられた入力元から通信ネットワークＮを介して送信され通信制御部１０６により受信された位置関連情報及びコンテンツ特定情報を取得して入力する（ステップＳ２７１）。
続けて、第１位置表示制御部１０７ｉは、例えば、位置関連情報とともに入力されたコンテンツ特定情報に基づいて、位置関連情報に対応する動画像を特定して取得し、動画像を位置関連情報により表されている動画像の時間的な位置で表示部１０４に表示させる（ステップＳ２７２；図８（ａ）参照）。
これにより、第１動作処理部１０７は、当該入力処理を終了する。
【００５７】
＜保存アイコン＞
ユーザの接触位置の座標が表示部１０４に表示されている保存アイコンＩｒと重なる場合（ステップＳ２６；保存アイコン）、位置入力部１０７ｈは、ステップＳ２７１と同様に、スワイプ操作の開始時に接触操作されたアイコンＩｉと対応付けられた入力元から通信ネットワークＮを介して送信され通信制御部１０６により受信された位置関連情報及びコンテンツ特定情報を取得して入力する（ステップＳ２８１）。
続けて、位置入力部１０７ｈは、入力された位置関連情報及びコンテンツ特定情報を記録部１０３に出力して、記録部１０３に位置関連情報を記録させる（ステップＳ２８２）。
これにより、第１動作処理部１０７は、当該入力処理を終了する。
【００５８】
一方、ステップＳ２３にて、ユーザの接触位置の座標が入力元のアイコンＩｉと重ならないと判別されると（ステップＳ２３；ＮＯ）、第１動作処理部１０７は、ユーザによりタッチパネル１０５ａがスワイプ操作されることで逐次出力されて逐次入力される位置信号に従って、その他の処理を実行する（ステップＳ２９）。
【００５９】
以上のように、実施形態１のコンテンツ共有システム１００によれば、表示装置１Ａは、スワイプ操作の開始時に表示されている動画像の時間的な位置（例えば、動画像の再生時間等）を取得し、スワイプ操作の終了時におけるタッチパネル１０５ａのユーザの接触位置の座標と対応付けられている出力先（例えば、通信ネットワークＮを介して通信可能な他の表示装置１Ｂ等の外部装置）に対して、取得された動画像の時間的な位置に関連する位置関連情報を出力するので、ユーザがタッチパネル１０５ａ上で一のスワイプ操作を行うだけで、表示されている動画像の時間的な位置を指定して取得することができるとともに、動画像の時間的な位置に関連する位置関連情報の出力先を指定して当該出力先に対して位置関連情報を出力することができる。さらに、位置関連情報とともに、動画像を特定するための情報を出力先に対して出力することもできる。
従って、動画像の時間的な位置を任意の出力先に対して容易に出力することができる。
【００６０】
また、スワイプ操作の終了時におけるタッチパネル１０５ａのユーザの接触位置の座標が、表示部１０４に表示され、出力先と対応付けられたアイコンＩｏと重なる場合に、位置関連情報をアイコンＩｏと対応付けられている出力先に出力するので、ユーザによるスワイプ操作の終了位置を出力先と対応付けられたアイコンＩｏと重なる位置にするだけで、位置関連情報の出力先の指定及び当該出力先に対する位置関連情報の出力を簡便に行うことができる。
【００６１】
また、ユーザによるスワイプ操作の向きが所定の範囲内に向かうものである場合に、当該スワイプ操作が第１の制御を行うための操作であると判別して、動画像の時間的な位置を取得する処理及び位置関連情報を出力する処理を行わせる第１の制御を行うので、ユーザによるスワイプ操作の態様に基づいて、動画像の時間的な位置の取得及び位置関連情報の出力を制御することができる。さらに、ユーザによるスワイプ操作が第１の制御を行うための操作でないと判別した場合には、スワイプ操作に応じて、表示部１０４上の座標とは異なる、表示部１０４に表示されている動画像の時間的な位置を変位させる表示制御を行わせる第２の制御を行うことで、ユーザによるスワイプ操作の態様に基づいて、表示されている動画像の時間的な位置の変位を制御することもできる。
つまり、ユーザがスワイプ操作の態様を変えるだけで、動画像の時間的な位置の取得及び位置関連情報の出力を制御するか、或いは、表示されている動画像の時間的な位置の変位を制御するかを変更することができる。
加えて、ユーザによるスワイプ操作が第１の制御を行うための操作であると判別された場合に、出力先と対応付けられたアイコンＩｏを表示することで、表示部１０４の限られた表示領域内にアイコンＩｏを常に表示する必要がなくなり、例えば、表示されている動画像の時間的な位置を変位させるためのユーザによるスワイプ操作の操作可能領域をより広く確保することができる。さらに、ユーザにより実施中のスワイプ操作の終了位置をアイコンＩｏと重なる位置にするだけで、位置関連情報の出力先の指定及び当該出力先に対する位置関連情報の出力を簡便に行うこともできる。
【００６２】
また、アイコンＩｏと対応付けられている出力先に対して、位置関連情報を出力可能であるか否かを識別可能な態様で当該アイコンＩｏを表示するので、ユーザがアイコンＩｏの表示態様を確認するだけで、当該アイコンＩｏと対応付けられている出力先に対して位置関連情報を出力可能であるか否かを判断することができる。
【００６３】
その一方で、スワイプ操作の開始時におけるタッチパネル１０５ａのユーザの接触位置の座標が表示部１０４に表示されているアイコンＩｉと重なり、且つ、スワイプ操作の終了時におけるタッチパネル１０５ａのユーザの接触位置の座標が表示部１０４の表示領域の所定領域内である場合に、アイコンＩｉと対応付けられた入力元から出力された位置関連情報を入力し、入力された位置関連情報に基づいて、動画像の時間的な位置で当該動画像を表示部１０４に表示するので、ユーザがタッチパネル１０５ａ上で一のスワイプ操作を行うだけで、位置関連情報を入力することができ、入力された位置関連情報に対応する時間的な位置で動画像を表示することができる。さらに、位置関連情報とともに、動画像を特定するための情報を入力元から入力することもできる。
【００６４】
また、アイコンＩｉと対応付けられている入力元から、位置関連情報を入力可能であるか否かを識別可能な態様で当該アイコンＩｉを表示するので、ユーザがアイコンＩｉの表示態様を確認するだけで、当該アイコンＩｏと対応付けられている入力元から位置関連情報を入力可能であるか否かを判断することができる。
【００６５】
［実施形態２］
以下に、実施形態２のコンテンツ共有システムについて説明する。
実施形態２のコンテンツ共有システムは、上記実施形態１と同様に、通信ネットワークＮを介して通信可能な複数の表示装置２０１、…（４つの表示装置２０１Ａ〜２０１Ｄ；図９参照）を備えている。
また、複数の表示装置２０１、…は、構成及び動作は略同様であるため、以下に、代表して表示装置２０１Ａを例示して説明する。
【００６６】
図９は、実施形態２のコンテンツ共有システムを構成する表示装置２０１Ａの概略構成を示すブロック図である。
図９に示すように、表示装置２０１Ａは、具体的には、中央制御部１０１と、メモリ１０２と、記録部１０３と、表示部１０４と、操作入力部１０５と、通信制御部１０６と、第２動作処理部２０７とを備えている。また、各部は、バスライン１０８を介して接続されている。
【００６７】
なお、実施形態２の表示装置２０１Ａは、以下に詳細に説明する以外の点は、上記実施形態１の表示装置１Ａと略同様の構成であり、詳細な説明は省略する。
【００６８】
第２動作処理部２０７は、第２位置取得部２０７ａと、第２位置出力部２０７ｂと、測定部１０７ｃと、第２判別部２０７ｄと、第２変位表示制御部２０７ｅと、指標表示制御部１０７ｆと、第２動作制御部２０７ｇと、位置入力部１０７ｈと、第２位置表示制御部２０７ｉとを具備している。
【００６９】
第２位置取得部２０７ａは、静止画像やアプリケーション画面等の静止コンテンツの空間的な位置を取得する。
ここで、静止コンテンツは、表示部１０４の表示領域よりも画像領域が広い静止画像である。つまり、表示部１０４の表示領域の画素数よりも静止コンテンツの画素数が多いものである。従って、表示部１０４の表示領域には、静止コンテンツの一部分の画像領域のみが表示された状態となり、ユーザによるタッチパネル１０５ａの接触操作（スワイプ操作等）に応じて、表示領域内に表示される静止コンテンツの画像領域が変位する（詳細後述）。
第２位置取得部（第１位置取得手段）２０７ａは、スワイプ操作の開始時におけるタッチパネル１０５ａのユーザの接触位置の座標に対応する静止コンテンツの空間的な位置を取得する。具体的には、表示部１０４による静止コンテンツの表示中に、ユーザによるタッチパネル１０５ａのスワイプ操作が開始されると、タッチパネル１０５ａは、スワイプ操作に応じてユーザにより接触操作されたそれぞれの接触位置のＸＹ座標に係る位置信号を第２動作処理部２０７に出力する。第２位置取得部２０７ａは、スワイプ操作の開始時にタッチパネル１０５ａから出力された位置信号が入力されると、表示部１０４に表示されている静止コンテンツの中で、入力された位置信号に対応する画素の位置のＸＹ座標を取得する。また、第２位置取得部２０７ａは、後述する第２変位表示制御部２０７ｅによる処理のために、スワイプ操作が開始された時点における静止コンテンツの空間的な位置をメモリ１０２に一時保存する。
【００７０】
第２位置出力部２０７ｂは、静止コンテンツの空間的な位置に関連する位置関連情報を出力する。
すなわち、第２位置出力部（第１位置出力手段）２０７ｂは、上記実施形態１の第１位置出力部１０７ｂと略同様に、スワイプ操作の終了時におけるタッチパネル１０５ａのユーザの接触位置の座標と対応付けられている出力先（例えば、他の表示装置２０１Ｂや記録部１０３等）に対して、第２位置取得部２０７ａにより取得された静止コンテンツの空間的な位置に関連する位置関連情報を出力する。
具体的には、タッチパネル１０５ａは、スワイプ操作に応じてユーザにより接触操作されたそれぞれの接触位置のＸＹ座標に係る位置信号を第２動作処理部２０７に出力する。第２動作処理部２０７は、スワイプ操作の終了時にタッチパネル１０５ａから出力された位置信号が入力されると、入力された位置信号に係るタッチパネル１０５ａのユーザの接触位置の座標が表示部１０４に表示されているアイコンＩｏと重なるか否かを判別する。ユーザの接触位置の座標がアイコンＩｏと重なる場合には、第２位置出力部２０７ｂは、第２位置取得部２０７ａにより取得された静止コンテンツの空間的な位置に関連する位置関連情報を、ユーザの接触位置が重なったアイコンＩｏと対応付けられている出力先、例えば、他の表示装置２０１Ｂ等の外部装置に対して、通信ネットワークＮ及び通信制御部１０６を介して出力する。
【００７１】
ここで、位置関連情報は、第２位置取得部２０７ａにより取得された静止コンテンツ内の画素の位置のＸＹ座標自体であっても良いし、例えば、静止コンテンツが地図アプリケーション画面の場合、入力された位置信号に対応する画素の位置の緯度や経度や高度、住所、ランドマークの名称等を用いても良い。
また、位置関連情報には、第２位置取得部２０７ａにより静止コンテンツ内の画素の位置が取得された際に、表示部１０４の表示領域に表示されている静止コンテンツの画像領域の範囲を特定するための情報（例えば、静止コンテンツの画像領域の４隅の画素の位置のＸＹ座標、静止コンテンツの表示倍率等）を含めても良い。これにより、当該表示装置１Ａから出力された位置関連情報が入力された他の表示装置１Ｂ等にて、ユーザのスワイプ操作の開始時点にて表示部１０４に表示されていた静止コンテンツの画像領域と略同等の画像領域を他の表示装置１Ｂの表示部１０４にも表示することができる。
【００７２】
なお、第２位置出力部２０７ｂは、位置関連情報とともに、表示部１０４に表示されている静止コンテンツを特定するためのコンテンツ特定情報（例えば、静止画像のファイル名、アプリケーション名、格納先のアドレス等）を出力先（例えば、他の表示装置２０１Ｂ等）に出力しても良い。
【００７３】
第２判別部２０７ｄは、スワイプ操作が第１の制御を行うための操作であるか否かを判別する。
すなわち、第２判別部（判別手段）２０７ｄは、上記実施形態１の第１判別部１０７ｄと略同様に、スワイプ操作が第２動作制御部２０７ｇ（後述）による第１の制御を行うための操作であるか否かを判別する。具体的には、第２判別部２０７ｄは、ユーザによるスワイプ操作が所定の範囲内に入った場合に、スワイプ操作が第１の制御を行うための操作であると判別する。
例えば、図１１（ｂ）等に示すように、略矩形状のタッチパネル１０５ａは、対応する表示部１０４の表示領域における出力先や入力元のアイコンＩｏ、Ｉｉが表示される左右方向の一端（図中、向かって右端）側にて上下に延在する直線（図中、模式的に破線で示すが、実際には表示されない）により「１」〜「２」と表された二つの範囲に区分される。そして、第２判別部２０７ｄは、タッチパネル１０５ａから逐次出力され入力される位置信号に基づいて、ユーザによるスワイプ操作が二つの範囲のうちの何れの範囲内に存するかを特定する。例えば、ユーザによるスワイプ操作が、図中、「２」と表された範囲内に入った場合に、第２判別部２０７ｄは、スワイプ操作が第１の制御を行うための操作であると判別する。一方、例えば、ユーザによるスワイプ操作が図中、「１」と表された範囲内である場合、第２判別部２０７ｄは、スワイプ操作が第１の制御を行うための操作でないと判別する。
【００７４】
第２変位表示制御部２０７ｅは、静止コンテンツの空間的な位置を変位させる。
すなわち、第２変位表示制御部（第１表示制御手段）２０７ｅは、ユーザによるタッチパネル１０５ａ上のスワイプ操作に応じて、表示部１０４上の座標とは異なる、表示部１０４に表示されている静止コンテンツの空間的な位置を変位させる表示制御を行う。具体的には、タッチパネル１０５ａは、スワイプ操作に応じてユーザにより接触操作されたそれぞれの接触位置のＸＹ座標に係る位置信号を第２動作処理部２０７に出力する。そして、第２変位表示制御部２０７ｅは、タッチパネル１０５ａから逐次出力されて逐次入力される位置信号に応じて、静止コンテンツのうちの表示部１０４の表示領域内に表示される画像領域を変位させる表示制御を行う。さらに、スワイプ操作の終了時におけるタッチパネル１０５ａのユーザの接触位置の座標が表示部１０４に表示されている出力先のアイコンＩｏと重なる場合には、第２変位表示制御部２０７ｅは、静止コンテンツのうち、スワイプ操作の終了後に表示部１０４の表示領域内に表示される画像領域が、スワイプ操作前、より具体的には、スワイプ操作が開始された時点と同じ画像領域、すなわち、第２位置取得部２０７ａにより所得され、メモリ１０２に一時保存されている空間的な位置となるように表示制御を行う。
なお、静止コンテンツの空間的な位置の変位は、タッチパネル１０５ａ上のユーザによる接触操作の態様、例えば、スワイプ速度、スワイプ量及びスワイプ方向等に応じて、静止コンテンツの変位速度や変位量が変化する。例えば、第２変位表示制御部２０７ｅは、スワイプ速度が高速なほど、或いは、スワイプ量が大きいほど静止コンテンツの変位速度を高速にする。
【００７５】
第２動作制御部２０７ｇは、第１の制御や第２の制御を行う。
すなわち、第２動作制御部（制御手段）２０７ｇは、上記実施形態１の第１動作制御部１０７ｇと略同様に、第２位置取得部２０７ａによる静止コンテンツの空間的な位置を取得する処理、及び第２位置出力部２０７ｂによる位置関連情報を出力する処理を行わせる第１の制御を行ったり、第２変位表示制御部２０７ｅによる静止コンテンツの表示制御を行わせる第２の制御を行う。
具体的には、表示部１０４による静止コンテンツの表示中に、ユーザによるタッチパネル１０５ａのスワイプ操作が開始され、第２判別部２０７ｄによりスワイプ操作が第１の制御を行うための操作であると判別されると、第２動作制御部２０７ｇは、スワイプ操作の開始時におけるタッチパネル１０５ａのユーザの接触位置の座標に対応する静止コンテンツの画素の位置のＸＹ座標を第２位置取得部２０７ａにより取得させる。そして、スワイプ操作の終了時におけるタッチパネル１０５ａのユーザの接触位置の座標が、表示部１０４に表示されているアイコンＩｏと重なると、第２動作制御部２０７ｇは、アイコンＩｏと対応付けられている出力先（例えば、他の表示装置２０１Ｂ等）に位置関連情報を第２位置出力部２０７ｂにより出力させる。
一方、第２判別部２０７ｄによりスワイプ操作が第１の制御を行うための操作でないと判別されると、第２動作制御部２０７ｇは、ユーザによるスワイプ操作に応じて、表示部１０４に表示されている静止コンテンツの空間的な位置を変位させる表示制御を第２変位表示制御部２０７ｅに行わせる。
【００７６】
第２位置表示制御部２０７ｉは、静止コンテンツの空間的な位置を表示部１０４に表示させる。
すなわち、第２位置表示制御部（第４表示制御手段）２０７ｉは、上記実施形態１の第１位置表示制御部１０７ｉと略同様に、位置入力部１０７ｈにより入力された位置関連情報に基づいて、静止コンテンツの空間的な位置を表示部１０４に表示させる。具体的には、第２位置表示制御部２０７ｉは、例えば、位置関連情報とともに入力されたコンテンツ特定情報（例えば、静止画像のファイル名、アプリケーション名、格納先のアドレス等）に基づいて静止コンテンツを特定し、特定された静止コンテンツを位置関連情報により表されている静止コンテンツの空間的な位置を基準（例えば、中心等）として表示部１０４に表示させる。つまり、表示部１０４には、位置関連情報により表されている静止コンテンツ内の画素の位置を基準として静止コンテンツが表示された状態となる。
【００７７】
＜出力処理＞
次に、表示装置２０１Ａによる出力処理について、図１０〜図１２（ｂ）を参照して説明する。
図１０は、出力処理に係る動作の一例を示すフローチャートである。また、図１１（ａ）〜図１２（ｂ）は、出力処理における表示部１０４の表示例を模式的に示す図である。
【００７８】
図１０に示すように、例えば、ユーザによる操作入力部１０５の所定操作に基づいて表示対象となる地図アプリケーション等の静止コンテンツが指定されると（ステップＳ３１）、表示部１０４は、中央制御部１０１のＣＰＵによる地図表示プログラム（図示略）の実行に基づいて、地図表示画面を生成して表示パネル１０４ａに表示させる（ステップＳ３２；図１１（ａ）参照）。
【００７９】
次に、第２動作処理部２０７は、ユーザによるタッチパネル１０５ａのスワイプ操作が開始されたか否かを判別する（ステップＳ３３）。ここでの判別処理は、上記した実施形態１の出力処理におけるステップＳ３の処理と略同様である。
ここで、ユーザによるタッチパネル１０５ａのスワイプ操作が開始されていないと判別されると（ステップＳ３３；ＮＯ）、第２動作処理部２０７は、処理をステップＳ３２に戻し、表示部１０４は、上記と同様に、静止コンテンツを表示する。
第２動作処理部２０７は、ユーザによるタッチパネル１０５ａのスワイプ操作が開始されたか否かを判別する処理を所定の時間間隔で繰り返し実行する。
【００８０】
ステップＳ３３にて、ユーザによるタッチパネル１０５ａのスワイプ操作が開始されたと判別されると（ステップＳ３３；ＹＥＳ）、第２動作制御部２０７ｇは、第１の制御を行い、第２位置取得部２０７ａは、スワイプ操作の開始時におけるタッチパネル１０５ａのユーザの接触位置の座標に対応する静止コンテンツの空間的な位置、例えば、ユーザによる接触位置のＸＹ座標を取得し、メモリ１０４に一時保存する（ステップＳ３４）。
続いて、第２変位表示制御部２０７ｅは、タッチパネル１０５ａから逐次出力されて逐次入力される位置信号に応じて、静止コンテンツのうちの表示部１０４の表示領域内に表示される画像領域を変位させる表示制御を行う（ステップＳ３５；図１１（ｂ）及び図１２（ｂ）参照））。
次に、第２判別部２０７ｄは、スワイプ操作が所定の範囲内に入ったか否かを判別する（ステップＳ３６）。例えば、第２判別部２０７ｄは、ユーザによるスワイプ操作が図中、「２」と表された範囲内に入ったか否かを判別する。
【００８１】
ステップＳ３６にて、スワイプ操作が所定の範囲内に入っていないと判定されると（ステップＳ３６；ＮＯ）、第２動作処理部２０７は、ユーザによるタッチパネル１０５ａのスワイプ操作が終了したか否かを判別する（ステップＳ３７）。ここでの判別処理は、上記した実施形態１の出力処理におけるステップＳ８の処理と略同様である。
ここで、ユーザによるタッチパネル１０５ａのスワイプ操作が終了していないと判別されると（ステップＳ３７；ＮＯ）、第２動作処理部２０７は、処理をステップＳ３５に戻し、第２変位表示制御部２０７ｅは、タッチパネル１０５ａから逐次出力されて逐次入力される位置信号に応じて、静止コンテンツのうちの表示部１０４の表示領域内に表示される画像領域を変位させる表示制御を行い、ステップＳ３５にて、第２判別部２０７ｄは、スワイプ操作が所定の範囲内に入ったか否かを判別する処理を所定の時間間隔で繰り返し実行する。
【００８２】
一方、ステップＳ３６にて、スワイプ操作が所定の範囲内に入ったと判別されると（ステップＳ３６；ＹＥＳ）、指標表示制御部１０７ｆは、位置関連情報の出力先と対応付けられ、位置関連情報を出力可能であることを表す外向きに凸の三角形状のアイコンＩｏ、保存アイコンＩｒを表示部１０４に表示させる（ステップＳ３８；図１１（ｂ）参照）。ここでの出力先は、例えば、他の表示装置２０１Ｂ、２０１Ｄや位置関連情報が保存される記録部１０３が挙げられる。
【００８３】
その後、第２動作処理部２０７は、ユーザによるタッチパネル１０５ａのスワイプ操作が終了したか否かを判別する（ステップＳ３９）。ここでの判別処理は、上記した実施形態１の出力処理におけるステップＳ８の処理と略同様である。
ここで、ユーザによるタッチパネル１０５ａのスワイプ操作が終了していないと判別されると（ステップＳ３９；ＮＯ）、第２動作処理部２０７は、処理をステップＳ３９に戻し、ユーザによるタッチパネル１０５ａのスワイプ操作が終了したか否かを判別する処理を所定の時間間隔で繰り返し実行する。この間、第２変位表示制御部２０７ｅは、静止コンテンツのうちの表示部１０４の表示領域内に表示される画像領域を変位させる表示制御は行わない。
【００８４】
ステップＳ３９にて、ユーザによるタッチパネル１０５ａのスワイプ操作が終了したと判別されると（ステップＳ３９；ＹＥＳ）、第２動作処理部２０７は、スワイプ操作の終了時にタッチパネル１０５ａから出力されて入力された位置信号に係るタッチパネル１０５ａのユーザの接触位置の座標が表示部１０４に表示されている出力先のアイコンＩｏ（例えば、他の表示装置２０１Ｂを表すアイコンＩｏ等）と重なるか否かを判別する（ステップＳ４０）。
ここで、ユーザの接触位置の座標が出力先のアイコンＩｏと重なると判別されると（ステップＳ４０；ＹＥＳ）、第２位置出力部２０７ｂは、ユーザの接触位置が重なったアイコンＩｏと対応付けられている出力先に対して、第２位置取得部２０７ａにより取得された静止コンテンツの空間的な位置に関連する位置関連情報及び静止コンテンツを特定するためのコンテンツ特定情報（例えば、アプリケーション名、格納先のアドレス等）を出力する（ステップＳ４１）。ここでの処理は、上記した実施形態１の出力処理におけるステップＳ１０の処理と略同様である。
続けて、第２変位表示制御部２０７ｅは、表示部１０４の表示領域内に表示される画像領域が、スワイプ操作前と同じ画像領域となるように、メモリ１０２に一時保存されている空間的位置を表示するように表示制御を行い、表示部１０４の表示領域内にスワイプ操作前の状態の静止コンテンツの一部分を表示させる（ステップＳ４２；図１２（ａ）参照）。また、指標表示制御部１０７ｆは、位置関連情報の出力先と対応付けられたアイコンＩｏや保存アイコンＩｒの表示を停止させるとともに、位置関連情報の入力元と対応付けられているアイコンＩｉを表示する。
【００８５】
その後、第２動作処理部２０７は、ユーザによる操作入力部１０５の所定操作に基づいて、表示部１０４による静止コンテンツの表示の終了が指示されたか否かを判別する（ステップＳ４３）。
また、ステップＳ４０にて、ユーザの接触位置の座標が出力先のアイコンＩｏと重ならないと判別されると（ステップＳ４０；ＮＯ）、第２動作処理部２０７は、ステップＳ４１、Ｓ４２の各処理をスキップし、ステップＳ４３にて、表示部１０４による静止コンテンツの表示の終了が指示されたか否かを判別する。また、ステップＳ３７にて、ユーザによるタッチパネル１０５ａのスワイプ操作が終了したと判別されると（ステップＳ３７；ＹＥＳ）、上記と同様に、第２動作処理部２０７は、表示部１０４による静止コンテンツの表示の終了が指示されたか否かを判別する（ステップＳ４３）。
【００８６】
ステップＳ４３にて、表示部１０４による静止コンテンツの表示の終了が指示されていないと判別されると（ステップＳ４３；ＮＯ）、第２動作処理部２０７は、処理をステップＳ３２に戻し、表示部１０４は、上記と同様に、静止コンテンツを表示する。
一方、ステップＳ４３にて、表示部１０４による静止コンテンツの表示の終了が指示されたと判別されると（ステップＳ４３；ＹＥＳ）、第２動作処理部２０７は、当該出力処理を終了する。
【００８７】
＜入力処理＞
次に、表示装置２０１Ａによる入力処理について説明する。
表示装置２０１Ａによる入力処理は、上記した実施形態１の入力処理（図６参照）と略同様であり、図面を用いた詳細な説明は省略する。
以下に、ステップＳ２６にて、ユーザの接触位置の座標が表示部１０４の表示領域の所定領域内である場合（ステップＳ２６；所定領域内）及び保存アイコンＩｒと重なる場合（ステップＳ２６；保存アイコンＩｒ）について、説明する。
【００８８】
＜所定領域内＞
ユーザの接触位置の座標が表示部１０４の表示領域の所定領域内である場合（ステップＳ２６；所定領域内）、位置入力部１０７ｈは、スワイプ操作の開始時に接触操作されたアイコンＩｉと対応付けられた入力元から通信ネットワークＮを介して送信され通信制御部１０６により受信された位置関連情報及びコンテンツ特定情報を取得して入力する（ステップＳ２７１）。
続けて、第２位置表示制御部２０７ｉは、例えば、位置関連情報とともに入力されたコンテンツ特定情報に基づいて、位置関連情報に対応する静止コンテンツを特定して取得し、静止コンテンツを位置関連情報により表されている静止コンテンツの空間的な位置で、つまり、位置関連情報により表されている静止コンテンツ内の画素の位置を基準として静止コンテンツを表示部１０４に表示させる（ステップＳ２７２）。
【００８９】
＜保存アイコン＞
ユーザの接触位置の座標が表示部１０４に表示されている保存アイコンＩｒと重なる場合（ステップＳ２６；保存アイコン）、位置入力部１０７ｈは、ステップＳ２７１と同様に、スワイプ操作の開始時に接触操作されたアイコンＩｉと対応付けられた入力元から通信ネットワークＮを介して送信され通信制御部１０６により受信された位置関連情報及びコンテンツ特定情報を取得して入力する（ステップＳ２８１）。
続けて、位置入力部１０７ｈは、入力された位置関連情報及びコンテンツ特定情報を記録部１０３に出力して、記録部１０３に位置関連情報を記録させる（ステップＳ２８２）。
これにより、第２動作処理部２０７は、当該入力処理を終了する。
【００９０】
以上のように、実施形態２のコンテンツ共有システムによれば、上記実施形態１と同様に、表示装置２０１Ａは、スワイプ操作の開始時におけるタッチパネル１０５ａのユーザの接触位置の座標に対応する静止コンテンツの空間的な位置（例えば、静止コンテンツ内の画素の位置のＸＹ座標等）を取得し、スワイプ操作の終了時におけるタッチパネル１０５ａのユーザの接触位置の座標と対応付けられている出力先（例えば、通信ネットワークＮを介して通信可能な他の表示装置２０１Ｂ等の外部装置）に対して、取得された静止コンテンツの空間的な位置に関連する位置関連情報を出力するので、ユーザがタッチパネル１０５ａ上で一のスワイプ操作を行うだけで、表示されている静止コンテンツの空間的な位置を指定して取得することができるとともに、静止コンテンツの空間的な位置に関連する位置関連情報の出力先を指定して当該出力先に対して位置関連情報を出力することができる。
従って、静止コンテンツの空間的な位置を任意の出力先に対して容易に出力することができる。
【００９１】
また、ユーザによりスワイプ操作が行われている際には、当該スワイプ操作に連動して、静止コンテンツのうちの表示部１０４の表示領域内に表示される画像領域を変位させて表示することができる。さらに、スワイプ操作の終了時におけるタッチパネル１０５ａのユーザの接触位置の座標が、表示部１０４に表示され、出力先と対応付けられているアイコンＩｏと重なる場合に、静止コンテンツのうちの表示部１０４の表示領域内に表示される画像領域がスワイプ操作の接触操作前と同じ画像領域となるように表示制御を行うので、ユーザによるスワイプ操作の終了後には、表示部１０４の表示領域内にスワイプ操作前の状態の静止コンテンツの一部分を表示させた状態とすることができる。
【００９２】
＜変形例１＞
以下に、変形例１の表示装置２０１Ａについて説明する。
なお、以下の説明では、実施形態２のコンテンツ共有システムを構成し、表示対象を静止コンテンツとする表示装置２０１Ａを例示して説明するが、実施形態１の表示装置１Ａにあっても、表示対象を動画像とする以外の点は略同様である。
【００９３】
図１３は、変形例１の表示装置２０１Ａの概略構成を示すブロック図である。
図１３に示すように、変形例１の表示装置２０１Ａの第２動作処理部２０７は、第２位置取得部２０７ａと、第２位置出力部２０７ｂと、測定部１０７ｃと、第２判別部２０７ｄと、第２変位表示制御部２０７ｅと、指標表示制御部１０７ｆと、第２動作制御部２０７ｇと、位置入力部１０７ｈと、第２位置表示制御部２０７ｉとに加えて、視線検出部７ｊを具備している。
【００９４】
視線検出部（視線検出手段）７ｊは、ユーザの視線Ｅを検出する。
すなわち、視線検出部７ｊは、図示しない撮像部により撮像されることで生成されたフレーム画像毎に、顔検出処理を行って被写体である人物の顔が含まれる顔領域を検出し、さらに、顔検出処理にて検出された顔領域内から目を検出した後、視線検出処理を行って被写体である人物の視線Ｅを検出する。なお、図１４（ａ）及び図１４（ｂ）には、ユーザの視線Ｅの先の位置を模式的に表している。
ここで、撮像部については、詳細な説明は省略するが、、例えば、レンズ部Ｌを通過した光学像を、ＣＣＤ（Charge Coupled Device）等のイメージセンサ（撮像素子）で二次元の画像信号に変換して、フレーム画像を生成する。レンズ部Ｌは、例えば、所謂、自分撮りができるように表示パネル１０４ａと同じ側に露出されるように配置されている（図１４（ａ）等参照）。
【００９５】
なお、上記した顔検出処理や目の検出処理や視線検出処理は、公知の技術であるので、ここでは詳細な説明を省略するが、例えば、顔検出処理や目の検出処理では、例えば、ＡＡＭ（Active Appearance Model）を用いても良いし、また、視線検出処理では、例えば、目の位置を検出し、黒目の両側の白目の面積比から視線Ｅを検出しても良い。
【００９６】
第２判別部２０７ｄは、ユーザによるスワイプ操作の際に、視線検出部７ｊにより検出されるユーザの視線Ｅの先が所定の範囲（例えば、図１４（ａ）及び図１４（ｂ）中、「２」と表された範囲）内であるか否かを判別する。具体的には、第２判別部２０７ｄは、視線検出部７ｊにより検出されるユーザの視線Ｅの先が位置する表示部１０４の表示領域の画素の座標を特定し、特定された画素が所定の範囲（例えば、図１４（ａ）及び図１４（ｂ）中、「２」と表された範囲）内であるか否かを判別する。
そして、例えば、ユーザの視線Ｅの先が図中、「２」と表された範囲内に入った場合には、指標表示制御部１０７ｆは、位置関連情報の出力先と対応付けられ、位置関連情報を出力可能であることを表す外向きに凸の三角形状のアイコンＩｏを表示部１０４に表示させる（図１４（ａ）参照）。また、第２判別部２０７ｄは、ユーザの視線Ｅの先が表示部１０４に表示されている出力先のアイコンＩｏであると判別すると、ユーザによるスワイプ操作が第１の制御を行うための操作であると判別する。
一方、例えば、ユーザの視線Ｅの先が図中、「１」と表された範囲内である場合（図１４（ｂ）参照）、第２判別部２０７ｄは、スワイプ操作が第１の制御を行うための操作でないと判別する。この場合、表示部１０４には、位置関連情報の出力先と対応付けられ、位置関連情報を出力可能であることを表す外向きに凸の三角形状のアイコンＩｏは表示されない。
【００９７】
従って、変形例１の表示装置２０１Ａによれば、スワイプ操作の際に、検出されるユーザの視線Ｅの先が、表示部１０４に表示され、出力先と対応付けられているアイコンＩｏである場合に、ユーザにより実施中のスワイプ操作が第１の制御を行うための操作であると判別するので、ユーザによるスワイプ操作の態様に拘わりなく、静止コンテンツの空間的な位置を取得する処理及び位置関連情報を出力する処理を行わせる第１の制御を行うことができる。
【００９８】
＜変形例２＞
以下に、変形例２の表示装置１Ａについて、図１５（ａ）〜図１５（ｃ）を参照して説明する。
なお、以下の説明では、実施形態１のコンテンツ共有システム１００を構成する表示装置１Ａを例示して説明する。
【００９９】
図１５（ａ）〜図１５（ｃ）に示すように、変形例２の表示装置１Ａでは、メモリ１０２や記録部１０３にコンテンツ（例えば、動画像Ａ）の時間的な位置が複数記録されている。そして、表示部１０４に表示されている保存アイコンＩｒにおけるタッチパネル１０５ａに対応する部分が接触操作されると、表示部１０４は、記録部１０３から複数の時間的な位置を取得して一覧表示する（図１５（ａ）参照）。このとき、指標表示制御部１０７ｆは、位置関連情報の入力元と対応付けられ、位置関連情報を入力可能であることを表す内向きに凸の三角形状のアイコンＩｉを表示部１０４に表示させても良い。
【０１００】
なお、複数の時間的な位置の一覧表示の形態として、図１５（ａ）等に示したものは一例であってこれに限られるものではなく、例えば、入力元から既に入力済みの位置関連情報に係るものも表示しても良い。このとき、上記した出力先に対して出力される位置関連情報に係るものと区別されるように表示するのが好ましく、例えば、階層的に表示したり、色を変えて表示したりしても良い。
また、異なる複数のコンテンツ（例えば、動画像Ａ、動画像Ｂ）の時間的な位置が記録されているような場合は、時間的な位置と合わせて動画像を特定するためのコンテンツ特定情報（例えば、動画像のファイル名）を一覧表示するようにしてもよい。
【０１０１】
その後、ユーザによるタッチパネル１０５ａの所定操作に基づいて、表示部１０４に表示されている複数の時間的な位置の中で、所望の時間的な位置（例えば、「○2;  2:40」等）が選択されると、指標表示制御部１０７ｆは、位置関連情報の出力先と対応付けられ、位置関連情報を出力可能であることを表す外向きに凸の三角形状のアイコンＩｏを表示部１０４に表示させる（図１５（ｂ）参照）。ここでの出力先は、例えば、他の表示装置１Ｂ、１Ｄが挙げられる。
そして、所望の時間的な位置（例えば、「○2;  2:40」等）に接触した状態からユーザによるタッチパネル１０５ａのスワイプ操作が開始されて、出力先のアイコンＩｏ（例えば、他の表示装置１Ｂを表すアイコンＩｏ等）と重なった状態で当該スワイプ操作が終了すると（矢印１；図１５（ｃ）参照）、第１位置出力部１０７ｂは、ユーザの接触位置が重なったアイコンＩｏと対応付けられている出力先（例えば、他の表示装置１Ｂ等）に対して、選択された所望の時間的な位置（例えば、「○2;  2:40」等）に関連する位置関連情報を通信ネットワークＮ及び通信制御部１０６を介して出力する。
一方、ユーザによるスワイプ操作が、表示部１０４の表示領域における出力先のアイコンＩｏ（例えば、他の表示装置１Ｂを表すアイコンＩｏ等）と重ならない位置などの表示部１０４の表示領域の所定領域内で終了すると（矢印２；図１５（ｃ）参照）、第１位置表示制御部１０７ｉは、選択された所望の時間的な位置（例えば、「○2;  2:40」等）に対応する動画像を特定して取得し、取得された動画像を所望の時間的な位置で表示部１０４に表示させる。
【０１０２】
なお、上記した構成及び機能を実施形態２の表示装置２０１Ａに適用することも可能であるが、コンテンツが静止コンテンツとなり、静止コンテンツの空間的な位置が記録されている以外の点は略同様であり、詳細な説明は省略する。
【０１０３】
従って、変形例２の表示装置１Ａによれば、メモリ１０２や記録部１０３にコンテンツ（例えば、動画像Ａ）の時間的な位置が複数記録されている場合に、ユーザにより選択された所望の時間的な位置に関連する位置関連情報を任意の出力先に対して容易に出力することができる。
【０１０４】
なお、上記実施形態１、２の表示装置１、２０１にあっては、少なくとも、スワイプ操作の開始時に出力されているコンテンツの時間的な位置、又は、スワイプ操作の開始時におけるタッチパネル１０５ａのユーザの接触位置の座標に対応するコンテンツの空間的な位置を取得し、スワイプ操作の終了時におけるタッチパネル１０５ａのユーザの接触位置の座標と対応付けられている出力先に対して、取得されたコンテンツの時間的な位置又は空間的な位置に関連する位置関連情報を出力する構成であれば良い。
すなわち、実施形態１の表示装置１にあっては、必ずしも測定部１０７ｃ、第１判別部１０７ｄ、第１変位表示制御部１０７ｅ、指標表示制御部１０７ｆ、第１動作制御部１０７ｇ、位置入力部１０７ｈ、第１位置表示制御部１０７ｉを具備する必要ない。同様に、実施形態２の表示装置２０１にあっては、測定部１０７ｃ、第２判別部２０７ｄ、第２変位表示制御部２０７ｅ、指標表示制御部１０７ｆ、第２動作制御部２０７ｇ、位置入力部１０７ｈ、第２位置表示制御部２０７ｉを具備する必要はない。
【０１０５】
また、上記実施形態１、２の表示装置１、２０１にあっては、複数のスワイプ操作が行われて、第１位置取得部１０７ａや第２位置取得部２０７ａによりコンテンツの時間的な位置又は空間的な位置が取得される毎に、第１位置出力部１０７ｂや第２位置出力部２０７ｂは、コンテンツの互いに異なる時間的な位置又は空間的な位置に関連する位置関連情報として出力しても良い。
【０１０６】
［実施形態３］
以下に、実施形態３のコンテンツ共有システムについて説明する。
実施形態３のコンテンツ共有システムは、上記実施形態１と同様に、通信ネットワークＮを介して通信可能な複数の表示装置３０１、…（４つの表示装置３０１Ａ〜３０１Ｄ；図１６参照）を備えている。
また、複数の表示装置３０１、…は、構成及び動作は略同様であるため、以下に、代表して表示装置３０１Ａを例示して説明する。
【０１０７】
図１６は、実施形態３のコンテンツ共有システムを構成する表示装置３０１Ａの概略構成を示すブロック図である。
図１６に示すように、表示装置３０１Ａは、具体的には、中央制御部１０１と、メモリ１０２と、記録部１０３と、表示部１０４と、操作入力部１０５と、通信制御部１０６と、第３動作処理部３０７とを備えている。また、各部は、バスライン１０８を介して接続されている。
【０１０８】
なお、実施形態３の表示装置３０１Ａは、以下に詳細に説明する以外の点は、上記実施形態１の表示装置１Ａと略同様の構成であり、詳細な説明は省略する。
【０１０９】
第３動作処理部３０７は、第３位置取得部３０７ａと、第３位置出力部３０７ｂと、測定部１０７ｃと、第１判別部１０７ｄと、第１変位表示制御部１０７ｅと、指標表示制御部１０７ｆと、第１動作制御部１０７ｇと、位置入力部１０７ｈと、第３位置表示制御部３０７ｉと、計数部７ｋとを具備している。
【０１１０】
第３位置取得部３０７ａは、スワイプ操作の開始時におけるタッチパネル１０５ａのユーザの接触位置を取得する。
すなわち、第３位置取得部（第２位置取得手段）３０７ａは、ユーザによりタッチパネル１０５ａ上の異なる位置が連続して接触操作されるスワイプ操作（一連の接触操作）の開始時におけるタッチパネル１０５ａのユーザの接触位置を第１の位置として取得する。具体的には、第３位置取得部３０７ａは、ユーザによるスワイプ操作が開始される毎に、スワイプ操作の開始時に出力されている動画像の時間的な位置を第１の位置として取得する。
なお、動画像の時間的な位置は、上記した実施形態１と同様に、表示部１０４に表示されている動画像の再生時間、つまり、動画像の再生が開始されてから経過した時間を表している。
【０１１１】
計数部７ｋは、スワイプ操作の回数を計数する。
すなわち、計数部（計数手段）７ｋは、スワイプ操作の終了時におけるタッチパネル１０５ａのユーザの接触位置の座標が表示部１０４に表示されているアイコンＩｏと重なる当該スワイプ操作の回数を計数する。具体的には、ユーザによるスワイプ操作が複数回行われるようになっており、第３動作処理部３０７は、スワイプ操作の終了時にタッチパネル１０５ａから出力された位置信号が入力されると、入力された位置信号に係るタッチパネル１０５ａのユーザの接触位置の座標が表示部１０４に表示されているアイコンＩｏと重なるか否かを判別する。そして、計数部７ｋは、第３動作処理部３０７によりユーザの接触位置の座標がアイコンＩｏと重なると判別されたスワイプ操作の回数を計数する。
ここで、計数部７ｋによりスワイプ操作の回数が計数される毎に、指標表示制御部（第６表示制御手段）１０７ｆは、スワイプ操作の回数に応じてアイコンＩｏの表示態様を変化させても良い。例えば、指標表示制御部１０７ｆは、スワイプ操作が行われる毎に、三角形状のアイコンＩｏの縁部の線の太さや線種を変更したり、アイコンｏの色や模様等を変更したりするようになっており、図１８（ｂ）には、アイコンＩｏの縁部を太い実線で表したものを模式的に表している。
なお、アイコンＩｏの表示態様と後述する付加情報の内容とを対応付けても良く、例えば、アイコンＩｏの縁部を細い実線で表した場合には、位置関連情報が動画像の注目再生時間を示す付加情報とし、アイコンＩｏの縁部を太い実線で表した場合には、位置関連情報が動画像の再生開始時間を示す付加情報としても良い。
【０１１２】
第３位置出力部３０７ｂは、スワイプ操作の回数に応じた付加情報を、動画像の時間的な位置に関連する位置関連情報に付加して出力する。
すなわち、第３位置出力部（第２位置出力手段）３０７ｂは、計数部７ｋにより計数されるスワイプ操作の回数に応じた付加情報を、第３位置取得部３０７ａにより取得された第１の位置に関連する位置関連情報に付加して、アイコンＩｏと対応付けられている出力先に出力する。
具体的には、第３位置出力部３０７ｂは、計数部７ｋにより計数されるスワイプ操作の回数に応じて、動画像の注目位置、出力開始位置及び出力終了位置のうちの何れかを示す付加情報を取得する。例えば、第３位置出力部３０７ｂは、１回目のスワイプ操作では、位置関連情報が動画像の注目再生時間を示す付加情報を取得し、２回目のスワイプ操作では、位置関連情報が動画像の再生開始時間を示す付加情報を取得し、３回目のスワイプ操作では、位置関連情報が動画像の再生終了時間を示す付加情報を取得する。
そして、第３位置出力部３０７ｂは、第３位置取得部３０７ａにより取得された動画像の時間的な位置に関連する複数の位置関連情報に付加情報をそれぞれ付加して、ユーザの接触位置が重なったアイコンＩｏと対応付けられている出力先、例えば、他の表示装置３０１Ｂ等の外部装置に対して、通信ネットワークＮ及び通信制御部１０６を介して出力する。
【０１１３】
なお、第３位置出力部３０７ｂは、位置関連情報とともに、表示部１０４に表示されている動画像を特定するためのコンテンツ特定情報（例えば、動画像のファイル名、格納先のアドレス等）を出力先（例えば、他の表示装置３０１Ｂ等）に出力しても良い。
【０１１４】
第３位置表示制御部３０７ｉは、位置入力部１０７ｈにより入力された複数の位置関連情報に基づいて、動画像の時間的な位置を表示部１０４に表示させる。具体的には、第３位置表示制御部３０７ｉは、例えば、位置関連情報とともに入力されたコンテンツ特定情報（例えば、動画像のファイル名、格納先のアドレス等）に基づいて動画像を特定し、特定された動画像を複数の位置関連情報及び付加情報により表されている動画像の時間的な位置を表示部１０４に表示させる。
例えば、一の位置関連情報に動画像の注目再生時間を示す付加情報が付加され、他の位置関連情報に動画像の再生開始時間を示す付加情報が付加されている場合には、表示部１０４には、動画像の再生開始時間から当該動画像が表示され、再生時間が注目再生時間となると当該動画像の表示が一時停止状態となる。なお、位置関連情報に動画像の再生終了時間を示す付加情報が付加されている場合には、表示部１０４には、再生終了時間まで動画像が表示された状態となる。
【０１１５】
＜出力処理＞
次に、表示装置３０１Ａによる出力処理について、図１７〜図１８（ｂ）を参照して説明する。
図１７は、表示装置３０１Ａによる出力処理に係る動作の一例を示すフローチャートである。また、図１８（ａ）及び図１８（ｂ）は、出力処理における表示部１０４の表示例を模式的に示す図である。
【０１１６】
なお、以下に説明する出力処理では、ユーザによるタッチパネル１０５ａのスワイプ操作が二回行われ、例えば、１回目のスワイプ操作では位置関連情報に動画像の注目再生時間を示す付加情報が付加され、２回目のスワイプ操作では位置関連情報に動画像の再生開始時間を示す付加情報が付加されるものとする。
【０１１７】
表示装置３０１Ａによる出力処理は、以下に詳細に説明する以外の点は、上記した実施形態１の出力処理（図３〜図５（ｂ）参照）と略同様である。
すなわち、図１７に示すように、先ず、上記実施形態１の出力処理のステップＳ１と略同様に、表示対象となる動画像が指定されると（ステップＳ５１）、表示部１０４は、上記実施形態１の出力処理のステップＳ２と略同様に、指定された動画像を構成する複数のフレーム画像を表示パネル１０４ａに表示させる（ステップＳ５２）。
【０１１８】
次に、第３動作処理部３０７は、上記実施形態１の出力処理のステップＳ３と略同様に、ユーザによるタッチパネル１０５ａのスワイプ操作が開始されたか否かを判別する（ステップＳ５３）。
ここで、ユーザによるタッチパネル１０５ａのスワイプ操作が開始されたと判別されると（ステップＳ５３；ＹＥＳ）、測定部１０７ｃは、上記実施形態１の出力処理のステップＳ４と略同様に、ユーザによるタッチパネル１０５ａ上の直線状のスワイプ操作の向きを測定する（ステップＳ５４）。なお、スワイプ操作にてユーザによりタッチパネル１０５ａが接触操作された時点で、表示部１０４は、表示されている動画像を一時停止させても良い。
【０１１９】
続けて、第１判別部１０７ｄは、上記実施形態１の出力処理のステップＳ５と略同様に、スワイプ操作の向きが所定の範囲内に向かうものであるか否かを判別する（ステップＳ５５）。
ここで、スワイプ操作の向きが所定の範囲内に向かうものであると判別されると（ステップＳ５５；ＹＥＳ）、上記実施形態１の出力処理のステップＳ６と略同様に、第１動作制御部１０７ｇは、第１の制御を行い、第３位置取得部３０７ａは、スワイプ操作の開始時に表示部１０４に表示されている動画像の時間的な位置を表示部１０４から取得する（ステップＳ５６）。
続けて、指標表示制御部１０７ｆは、上記実施形態１の出力処理のステップＳ７と略同様に、位置関連情報の出力先と対応付けられ、位置関連情報を出力可能であることを表す外向きに凸の三角形状のアイコンＩｏや保存アイコンＩｒを表示部１０４に表示させる（ステップＳ５７）。ここでの出力先は、例えば、他の表示装置３０１Ｂ、３０１Ｄや位置関連情報が保存される記録部１０３が挙げられる。
【０１２０】
その後、第３動作処理部３０７は、上記実施形態１の出力処理のステップＳ８と略同様に、ユーザによるタッチパネル１０５ａのスワイプ操作が終了したか否かを判別する（ステップＳ５８）。
ここで、ユーザによるタッチパネル１０５ａのスワイプ操作が終了したと判別されると（ステップＳ５８；ＹＥＳ）、第３動作処理部３０７は、上記実施形態１の出力処理のステップＳ９と略同様に、スワイプ操作の終了時にタッチパネル１０５ａから出力されて入力された位置信号に係るタッチパネル１０５ａのユーザの接触位置の座標が表示部１０４に表示されている出力先のアイコンＩｏ（例えば、他の表示装置３０１Ｂを表すアイコンＩｏ等）と重なるか否かを判別する（ステップＳ５９）。
【０１２１】
ステップＳ５９にて、ユーザの接触位置の座標が出力先のアイコンＩｏと重なると判別されると（ステップＳ５９；ＹＥＳ）、計数部７ｋは、スワイプ操作の回数を計数し、指標表示制御部１０７ｆは、出力先のアイコンＩｏの表示態様を変更する（ステップＳ６０）。具体的には、指標表示制御部１０７ｆは、例えば、他の表示装置３０１ＢのアイコンＩｏの縁部を太い実線で表したものに変更する（図１８（ｂ）参照）。
続けて、第３動作処理部３０７は、第３位置取得部３０７ａにより取得された動画像の時間的な位置に関連する位置関連情報を出力先の識別情報と対応付けてメモリ１０２に出力し、位置関連情報と出力先の識別情報とを対応付けて一時的に記録させる（ステップＳ６１）。
【０１２２】
次に、第３動作処理部３０７は、メモリ１０２に出力先を同一とする複数の位置関連情報が記録済みであるか否かを判別する（ステップＳ６２）。例えば、第３動作処理部３０７は、メモリ１０２から位置関連情報及び出力先の識別情報を読み出して取得し、出力先を同一とする複数の位置関連情報が記録済みであるか否かを判別する。
ここで、出力先を同一とする複数の位置関連情報が記録済みでないと判別されると（ステップＳ６２；ＮＯ）、第３動作処理部３０７は、処理をステップＳ５２に戻し、それ以降の各処理を行う。すなわち、表示部１０４は、動画像を最初から、或いは、一時停止されている場合にはその続きから表示し、ユーザにより二回目のスワイプ操作が行われる。
【０１２３】
そして、二回目のスワイプ操作が行われ（図１８（ｂ）参照）、ステップＳ６１にて、第３動作処理部３０７は、位置関連情報と出力先の識別情報とを対応付けてメモリ１０２に一時的に記録させた後、メモリ１０２に出力先を同一とする複数の位置関連情報が記録済みであるか否かを判別する（ステップＳ６２）。
ここで、出力先を同一とする複数の位置関連情報が記録済みであると判定されると（ステップＳ６２；ＹＥＳ）、第３位置出力部３０７ｂは、計数部７ｋにより計数されたスワイプ操作の回数に応じて、複数の位置関連情報に付加情報をそれぞれ付加し、ユーザの接触位置が重なったアイコンＩｏと対応付けられている出力先（例えば、他の表示装置３０１Ｂ等）に対して、通信ネットワークＮ及び通信制御部１０６を介して出力する（ステップＳ６３）。また、第３位置出力部３０７ｂは、出力先に対して、動画像を特定するためのコンテンツ特定情報（例えば、動画像のファイル名、格納先のアドレス等）も併せて出力する。
【０１２４】
その後、第３動作処理部３０７は、上記実施形態１の出力処理のステップＳ１１と略同様に、表示部１０４による動画像の表示の終了が指示されたか否かを判別する（ステップＳ６４）。また、ステップＳ５９にて、ユーザの接触位置の座標が出力先のアイコンＩｏと重ならないと判別されると（ステップＳ５９；ＮＯ）、第３動作処理部３０７は、ステップＳ６０〜Ｓ６３の各処理をスキップし、ステップＳ６４にて、表示部１０４による動画像の表示の終了が指示されたか否かを判別する。
ここで、表示部１０４による動画像の表示の終了が指示されていないと判別されると（ステップＳ６４；ＮＯ）、第３動作処理部３０７は、処理をステップＳ５２に戻し、表示部１０４は、上記と同様に、動画像を表示する。
【０１２５】
一方、ステップＳ５５にて、スワイプ操作の向きが所定の範囲内に向かうものでないと判別されると（ステップＳ５５；ＮＯ）、上記実施形態１の出力処理のステップＳ１２と略同様に、第１動作制御部１０７ｇは、第２の制御を行い、第１変位表示制御部１０７ｅは、ユーザによるタッチパネル１０５ａのスワイプ操作に応じて、表示部１０４に表示されている動画像の時間的な位置を変位させる送り再生を行う（ステップＳ６５）。
その後、第３動作処理部３０７は、ユーザによるタッチパネル１０５ａのスワイプ操作が終了したか否かを判別する（ステップＳ６６）。
ここで、ユーザによるタッチパネル１０５ａのスワイプ操作が終了していないと判別されると（ステップＳ６６；ＮＯ）、第１変位表示制御部１０７ｅは、処理をステップＳ６５に戻し、ユーザによるタッチパネル１０５ａのスワイプ操作に応じて、表示部１０４に表示されている動画像の時間的な位置を変位させる送り再生を行う。
【０１２６】
一方、ステップＳ６６にて、ユーザによるタッチパネル１０５ａのスワイプ操作が終了したと判別されると（ステップＳ６６；ＹＥＳ）、第３動作処理部３０７は、処理をステップＳ６４に移行し、表示部１０４による動画像の表示の終了が指示されたか否かを判別する（ステップＳ６４）。
【０１２７】
ステップＳ６４にて、表示部１０４による動画像の表示の終了が指示されたと判別されると（ステップＳ６４；ＹＥＳ）、第３動作処理部３０７は、当該出力処理を終了する。
【０１２８】
なお、上記した出力処理にあっては、１回目のスワイプ操作後に２回目のスワイプ操作が行われていない状況で、スワイプ操作の終了時に接触操作された出力先のアイコンＩｏがユーザにより接触操作（例えば、タップ操作）されることで、メモリ１０２に一時的に記録されている位置関連情報を消去するようにしても良い。これにより、ユーザは、再度１回目のスワイプ操作から行うことができるようになる。
【０１２９】
また、何れかの出力先アイコンへＩｏの１回目のスワイプ操作後に、他の出力先のアイコンＩｏにスワイプ操作が行われた場合は、先に行われたスワイプ操作に応じて、メモリ１０２に一時的に記録されている位置関連情報を消去し、後から行われたスワイプ操作に応じて、新たにメモリ１０２に位置関連情報を一時的に記録するようにしても良い。これにより、ユーザは、１回目のスワイプ操作で出力先アイコンＩｏを間違えた場合にも、容易に出力先を変更することができるようになる。
【０１３０】
＜入力処理＞
次に、表示装置３０１Ａによる入力処理について説明する。
表示装置３０１Ａによる入力処理は、上記した実施形態１の入力処理（図６参照）と略同様であり、図面を用いた詳細な説明は省略する。
以下に、ステップＳ２６にて、ユーザの接触位置の座標が表示部１０４の表示領域の所定領域内である場合（ステップＳ２６；所定領域内）について、説明する。
【０１３１】
＜所定領域内＞
ユーザの接触位置の座標が表示部１０４の表示領域の所定領域内である場合（ステップＳ２６；所定領域内）、位置入力部１０７ｈは、スワイプ操作の開始時に接触操作されたアイコンＩｉと対応付けられた入力元から通信ネットワークＮを介して送信され通信制御部１０６により受信された複数の位置関連情報及びコンテンツ特定情報を取得して入力する（ステップＳ２７１）。
続けて、第３位置表示制御部３０７ｉは、例えば、位置関連情報とともに入力されたコンテンツ特定情報に基づいて、位置関連情報に対応する動画像を特定して取得し、動画像を位置関連情報及び付加情報により表されている動画像の時間的な位置で表示部１０４に表示させる（ステップＳ２７２）。例えば、表示部１０４には、動画像の再生開始時間から当該動画像が表示され、再生時間が注目再生時間となると当該動画像の表示が一時停止状態となる。
これにより、第３動作処理部３０７は、当該入力処理を終了する。
【０１３２】
以上のように、実施形態３のコンテンツ共有システムによれば、表示装置３０１Ａは、スワイプ操作の開始時におけるタッチパネル１０５ａのユーザの接触位置を第１の位置として取得し、スワイプ操作の終了時におけるタッチパネル１０５ａのユーザの接触位置の座標が表示部１０４に表示されているアイコンＩｏと重なる当該スワイプ操作の回数に応じた付加情報を、取得された第１の位置に関連する位置関連情報に付加して、アイコンＩｏと対応付けられている出力先に出力するので、スワイプ操作の回数に応じて、例えば、動画像の注目位置や再生開始位置や再生終了位置等を示す付加情報を、スワイプ操作の開始時におけるタッチパネル１０５ａのユーザの接触位置に対応するスワイプ操作の開始時に表示されている動画像の時間的な位置に関連する位置関連情報に付加して出力先に出力することができる。さらに、位置関連情報とともに、動画像を特定するための情報を出力先に対して出力することもできる。
従って、動画像の時間的な位置を任意の出力先に対して容易に出力することができる。
【０１３３】
また、スワイプ操作の回数に応じて、出力先と対応付けられているアイコンＩｏの表示態様が変化するので、アイコンＩｏの表示態様によってスワイプ操作の回数をユーザに把握させることができる。さらに、例えば、アイコンＩｏの表示態様と付加情報の内容とを対応付けておくことで、アイコンＩｏの表示態様によって次回のスワイプ操作に対応する付加情報の内容をユーザに把握させることもできる。
【０１３４】
なお、上述の実施形態では、１回目のスワイプ操作では位置関連情報に動画像の注目再生時間を示す付加情報が付加され、２回目のスワイプ操作では位置関連情報に動画像の再生開始時間を示す付加情報が付加されるものとしていたが、これに限らず、２回のスワイプ操作により一時的に記録された２の位置関連情報のうち、時間的に早い方を再生開始時間とし、遅い方を注目再生時間として、各々に付加情報が付加されるものとしてもよい。
【０１３５】
［実施形態４］
以下に、実施形態４のコンテンツ共有システムについて説明する。
実施形態４のコンテンツ共有システムは、上記実施形態１と同様に、通信ネットワークＮを介して通信可能な複数の表示装置４０１、…（４つの表示装置４０１Ａ〜４０１Ｄ；図１９参照）を備えている。
また、複数の表示装置４０１、…は、構成及び動作は略同様であるため、以下に、代表して表示装置４０１Ａを例示して説明する。
【０１３６】
図１９は、実施形態４のコンテンツ共有システムを構成する表示装置４０１Ａの概略構成を示すブロック図である。
図１９に示すように、表示装置４０１Ａは、具体的には、中央制御部１０１と、メモリ１０２と、記録部１０３と、表示部１０４と、操作入力部１０５と、通信制御部１０６と、第４動作処理部４０７とを備えている。また、各部は、バスライン１０８を介して接続されている。
【０１３７】
なお、実施形態４の表示装置４０１Ａは、以下に詳細に説明する以外の点は、上記実施形態２の表示装置２０１Ａと略同様の構成であり、詳細な説明は省略する。
【０１３８】
第４動作処理部４０７は、第４位置取得部４０７ａと、第４位置出力部４０７ｂと、測定部１０７ｃと、第２判別部２０７ｄと、第２変位表示制御部２０７ｅと、指標表示制御部１０７ｆと、第２動作制御部２０７ｇと、位置入力部１０７ｈと、第４位置表示制御部４０７ｉと、計数部７ｋとを具備している。
【０１３９】
第４位置取得部４０７ａは、スワイプ操作の開始時におけるタッチパネル１０５ａのユーザの接触位置を取得する。
すなわち、第４位置取得部（第２位置取得手段）４０７ａは、ユーザによるスワイプ操作の開始時におけるタッチパネル１０５ａのユーザの接触位置を第１の位置として取得する。具体的には、第４位置取得部４０７ａは、スワイプ操作の開始時におけるタッチパネル１０５ａのユーザの接触位置の座標に対応する静止コンテンツの空間的な位置を第１の位置として取得する。
なお、静止コンテンツの空間的な位置は、上記した実施形態２と同様に、表示部１０４に表示されている静止コンテンツの中で、入力された位置信号に対応する画素の位置のＸＹ座標を表している。
【０１４０】
第４位置出力部４０７ｂは、スワイプ操作の回数に応じた付加情報を、静止コンテンツの空間的な位置に関連する位置関連情報に付加して出力する。
すなわち、第４位置出力部（第２位置出力手段）４０７ｂは、上記実施形態３の第３位置出力部３０７ｂと略同様に、計数部７ｋにより計数されるスワイプ操作の回数に応じた付加情報を、第４位置取得部４０７ａにより取得された第１の位置に関連する位置関連情報に付加して、アイコンＩｏと対応付けられている出力先に出力する。
具体的には、第４位置出力部４０７ｂは、計数部７ｋにより計数されるスワイプ操作の回数に応じて、１回目のスワイプ操作では、位置関連情報が静止コンテンツの注目位置を示す付加情報を取得し、２回目のスワイプ操作では、位置関連情報が静止コンテンツの出力開始位置を示す付加情報を取得し、３回目のスワイプ操作では、位置関連情報が静止コンテンツの出力終了位置を示す付加情報を取得する。
そして、第４位置出力部４０７ｂは、第４位置取得部４０７ａにより取得された静止コンテンツの空間的な位置に関連する複数の位置関連情報に付加情報をそれぞれ付加して、ユーザの接触位置が重なったアイコンＩｏと対応付けられている出力先、例えば、他の表示装置４０１Ｂ等の外部装置に対して、通信ネットワークＮ及び通信制御部１０６を介して出力する。
【０１４１】
なお、第４位置出力部４０７ｂは、位置関連情報とともに、表示部１０４に表示されている静止コンテンツを特定するためのコンテンツ特定情報（例えば、静止画像のファイル名、アプリケーション名、格納先のアドレス等）を出力先（例えば、他の表示装置１Ｂ等）に出力しても良い。
【０１４２】
第４位置表示制御部４０７ｉは、位置入力部１０７ｈにより入力された複数の位置関連情報に基づいて、静止コンテンツの空間的な位置を表示部１０４に表示させる。具体的には、第４位置表示制御部４０７ｉは、例えば、位置関連情報とともに入力されたコンテンツ特定情報（例えば、静止画像のファイル名、アプリケーション名、格納先のアドレス等）に基づいて静止コンテンツを特定し、特定された静止コンテンツを複数の位置関連情報及び付加情報により表されている静止コンテンツの空間的な位置を基準（例えば、中心等）として表示部１０４に表示させる。
例えば、一の位置関連情報に静止コンテンツの注目位置を示す付加情報が付加され、他の位置関連情報に静止コンテンツの出力開始位置を示す付加情報が付加されている場合には、第４位置表示制御部４０７ｉは、静止コンテンツ内の出力開始位置に対応する画素の位置を基準として静止コンテンツの一部分が表示された状態から、注目位置に対応する画素を基準として静止コンテンツの一部分が表示された状態となるように、静止コンテンツにおける表示部１０４の表示領域内に表示される画像領域を自動的に変位させる表示制御を行う。
【０１４３】
＜出力処理＞
次に、表示装置４０１Ａによる出力処理について、図２０〜図２１（ｂ）を参照して説明する。
図２０は、表示装置４０１Ａによる出力処理に係る動作の一例を示すフローチャートである。また、図２１（ａ）及び図２１（ｂ）は、出力処理における表示部１０４の表示例を模式的に示す図である。
【０１４４】
なお、以下に説明する出力処理では、ユーザによるタッチパネル１０５ａのスワイプ操作が二回行われ、例えば、１回目のスワイプ操作では位置関連情報に静止コンテンツの注目位置を示す付加情報が付加され、２回目のスワイプ操作では位置関連情報に静止コンテンツの出力開始位置を示す付加情報が付加されるものとする。
【０１４５】
表示装置４０１Ａによる出力処理は、以下に詳細に説明する以外の点は、上記した実施形態２の出力処理（図１０〜図１２（ｂ）参照）と略同様である。
すなわち、図２０に示すように、先ず、上記実施形態２の出力処理のステップＳ３１と略同様に、表示対象となる地図アプリケーション等の静止コンテンツが指定されると（ステップＳ７１）、表示部１０４は、上記実施形態２の出力処理のステップＳ３２と略同様に、地図表示画面を表示パネル１０４ａに表示させる（ステップＳ７２）。
【０１４６】
次に、第４動作処理部４０７は、上記実施形態２の出力処理のステップＳ３３と略同様に、ユーザによるタッチパネル１０５ａのスワイプ操作が開始されたか否かを判別する（ステップＳ７３）。
ここで、ユーザによるタッチパネル１０５ａのスワイプ操作が開始されたと判別されると（ステップＳ７３；ＹＥＳ）、上記実施形態２の出力処理のステップＳ３４と略同様に、第２動作制御部２０７ｇは、第１の制御を行い、第４位置取得部４０７ａは、スワイプ操作の開始時におけるタッチパネル１０５ａのユーザの接触位置の座標に対応する静止コンテンツの空間的な位置を取得し、メモリ１０４に一時保存する（ステップＳ７４）。
続いて、第２変位表示制御部２０７ｅは、上記実施形態２の出力処理のステップＳ３５と略同様に、タッチパネル１０５ａから逐次出力されて逐次入力される位置信号に応じて、静止コンテンツのうちの表示部１０４の表示領域内に表示される画像領域を変位させる表示制御を行う（ステップＳ７５）。
次に、第２判別部２０７ｄは、上記実施形態２の出力処理のステップＳ３６と略同様に、スワイプ操作が所定の範囲内に入ったか否かを判別する（ステップＳ７６）。
【０１４７】
ステップＳ７６にて、スワイプ操作が所定の範囲内に入っていないと判定されると（ステップＳ７６；ＮＯ）、第４動作処理部４０７は、上記実施形態２の出力処理のステップＳ３７と略同様に、ユーザによるタッチパネル１０５ａのスワイプ操作が終了したか否かを判別する（ステップＳ７７）。
ここで、ユーザによるタッチパネル１０５ａのスワイプ操作が終了していないと判別されると（ステップＳ７７；ＮＯ）、第４動作処理部４０７は、処理をステップＳ７５に戻し、第２変位表示制御部２０７ｅは、タッチパネル１０５ａから逐次出力されて逐次入力される位置信号に応じて、静止コンテンツのうちの表示部１０４の表示領域内に表示される画像領域を変位させる表示制御を行い、ステップＳ７６にて、第２判別部２０７ｄは、スワイプ操作が所定の範囲内に入ったか否かを判別する処理を所定の時間間隔で繰り返し実行する。
【０１４８】
一方、ステップＳ７６にて、スワイプ操作が所定の範囲内に入ったと判別されると（ステップＳ７６；ＹＥＳ）、指標表示制御部１０７ｆは、上記実施形態２の出力処理のステップＳ３８と略同様に、位置関連情報の出力先と対応付けられ、位置関連情報を出力可能であることを表す外向きに凸の三角形状のアイコンＩｏや保存アイコンＩｒを表示部１０４に表示させる（ステップＳ７８）。ここでの出力先は、例えば、他の表示装置４０１Ｂ、４０１Ｄや位置関連情報が保存される記録部１０３が挙げられる。
【０１４９】
その後、第４動作処理部４０７は、上記実施形態２の出力処理のステップＳ３９と略同様に、ユーザによるタッチパネル１０５ａのスワイプ操作が終了したか否かを判別する（ステップＳ７９）。
ここで、ユーザによるタッチパネル１０５ａのスワイプ操作が終了したと判別されると（ステップＳ７９；ＹＥＳ）、第４動作処理部４０７は、上記実施形態２の出力処理のステップＳ４０と略同様に、スワイプ操作の終了時にタッチパネル１０５ａから出力されて入力された位置信号に係るタッチパネル１０５ａのユーザの接触位置の座標が表示部１０４に表示されている出力先のアイコンＩｏ（例えば、他の表示装置４０１Ｂを表すアイコンＩｏ等）と重なるか否かを判別する（ステップＳ８０）。
ここで、ユーザの接触位置の座標が出力先のアイコンＩｏと重なると判別されると（ステップＳ８０；ＹＥＳ）、第２変位表示制御部２０７ｅは、上記実施形態２の出力処理のステップＳ４２と略同様に、表示部１０４の表示領域内に表示される画像領域が、スワイプ操作前と同じ画像領域となるように表示制御を行い、表示部１０４の表示領域内にスワイプ操作前の状態の静止コンテンツを表示させる（ステップＳ８１）。また、指標表示制御部１０７ｆは、位置関連情報の出力先と対応付けられたアイコンＩｏの表示を停止させる。
【０１５０】
次に、計数部７ｋは、スワイプ操作の回数を計数し、指標表示制御部１０７ｆは、出力先のアイコンＩｏの表示態様を変更する（ステップＳ８２）。
続けて、第４動作処理部４０７は、第４位置取得部４０７ａにより取得された静止コンテンツの空間的な位置に関連する位置関連情報を出力先の識別情報と対応付けてメモリ１０２に出力し、位置関連情報と出力先の識別情報とを対応付けて一時的に記録させる（ステップＳ８３）。
【０１５１】
次に、第４動作処理部４０７は、上記実施形態３の出力処理のステップＳ６２と略同様に、メモリ１０２に出力先を同一とする複数の位置関連情報が記録済みであるか否かを判別する（ステップＳ８４）。
ここで、出力先を同一とする複数の位置関連情報が記録済みでないと判別されると（ステップＳ８４；ＮＯ）、第４動作処理部４０７は、処理をステップＳ７２に戻し、それ以降の各処理を行う。すなわち、表示部１０４は、静止コンテンツを表示し、ユーザにより二回目のスワイプ操作が行われる。
【０１５２】
そして、二回目のスワイプ操作が行われ（図２１（ｂ）参照）、ステップＳ８３にて、第４動作処理部４０７は、位置関連情報と出力先の識別情報とを対応付けてメモリ１０２に一時的に記録させた後、メモリ１０２に出力先を同一とする複数の位置関連情報が記録済みであるか否かを判別する（ステップＳ８４）。
ここで、出力先を同一とする複数の位置関連情報が記録済みであると判定されると（ステップＳ８４；ＹＥＳ）、第４位置出力部４０７ｂは、計数部７ｋにより計数されたスワイプ操作の回数に応じて、複数の位置関連情報に付加情報をそれぞれ付加し、ユーザの接触位置が重なったアイコンＩｏと対応付けられている出力先（例えば、他の表示装置４０１Ｂ等）に対して、通信ネットワークＮ及び通信制御部１０６を介して出力する（ステップＳ８５）。また、第４位置出力部４０７ｂは、出力先に対して、静止コンテンツを特定するためのコンテンツ特定情報（例えば、アプリケーション名、格納先のアドレス等）も併せて出力する。
【０１５３】
その後、第４動作処理部４０７は、上記実施形態２の出力処理のステップＳ４３と略同様に、ユーザによる操作入力部１０５の所定操作に基づいて、表示部１０４による静止コンテンツの表示の終了が指示されたか否かを判別する（ステップＳ８６）。
また、ステップＳ８０にて、ユーザの接触位置の座標が出力先のアイコンＩｏと重ならないと判別されると（ステップＳ８０；ＮＯ）、第４動作処理部４０７は、ステップＳ８１〜Ｓ８５の各処理をスキップし、ステップＳ８６にて、表示部１０４による静止コンテンツの表示の終了が指示されたか否かを判別する。また、ステップＳ７７にて、ユーザによるタッチパネル１０５ａのスワイプ操作が終了したと判別されると（ステップＳ７７；ＹＥＳ）、上記と同様に、第４動作処理部４０７は、表示部１０４による静止コンテンツの表示の終了が指示されたか否かを判別する（ステップＳ８６）。
【０１５４】
ステップＳ８６にて、表示部１０４による静止コンテンツの表示の終了が指示されていないと判別されると（ステップＳ８６；ＮＯ）、第４動作処理部４０７は、処理をステップＳ７２に戻し、表示部１０４は、上記と同様に、静止コンテンツを表示する。
一方、ステップＳ８６にて、表示部１０４による静止コンテンツの表示の終了が指示されたと判別されると（ステップＳ８６；ＹＥＳ）、第４動作処理部４０７は、当該出力処理を終了する。
【０１５５】
＜入力処理＞
次に、表示装置４０１Ａによる入力処理について説明する。
表示装置４０１Ａによる入力処理は、上記した実施形態１の入力処理（図６参照）と略同様であり、図面を用いた詳細な説明は省略する。
以下に、ステップＳ２６にて、ユーザの接触位置の座標が表示部１０４の表示領域の所定領域内である場合（ステップＳ２６；所定領域内）について、説明する。
【０１５６】
＜所定領域内＞
ユーザの接触位置の座標が表示部１０４の表示領域の所定領域内である場合（ステップＳ２６；所定領域内）、位置入力部１０７ｈは、スワイプ操作の開始時に接触操作されたアイコンＩｉと対応付けられた入力元から通信ネットワークＮを介して送信され通信制御部１０６により受信された複数の位置関連情報及びコンテンツ特定情報を取得して入力する（ステップＳ２７１）。
続けて、第４位置表示制御部４０７ｉは、例えば、位置関連情報とともに入力されたコンテンツ特定情報に基づいて、位置関連情報に対応する静止コンテンツを特定して取得し、特定された静止コンテンツを複数の位置関連情報及び付加情報により表されている静止コンテンツの空間的な位置を基準（例えば、中心等）として表示部１０４に表示させる（ステップＳ２７２）。すなわち、表示部１０４には、例えば、静止コンテンツ内の出力開始位置に対応する画素の位置を基準として静止コンテンツの一部分が表示された状態から、注目位置に対応する画素を基準として静止コンテンツの一部分が表示された状態へと自動的に表示が変位する。
これにより、第４動作処理部４０７は、当該入力処理を終了する。
【０１５７】
以上のように、実施形態４のコンテンツ共有システムによれば、表示装置４０１Ａは、スワイプ操作の開始時におけるタッチパネル１０５ａのユーザの接触位置を第１の位置として取得し、スワイプ操作の終了時におけるタッチパネル１０５ａのユーザの接触位置の座標が表示部１０４に表示されているアイコンＩｏと重なる当該スワイプ操作の回数に応じた付加情報を、取得された第１の位置に関連する位置関連情報に付加して、アイコンＩｏと対応付けられている出力先に出力するので、スワイプ操作の回数に応じて、例えば、静止コンテンツの注目位置や出力開始位置や出力終了位置等を示す付加情報を、スワイプ操作の開始時におけるタッチパネル１０５ａのユーザの接触位置の座標に対応する静止コンテンツの空間的な位置に関連する位置関連情報に付加して出力先に出力することができる。
従って、静止コンテンツの空間的な位置を任意の出力先に対して容易に出力することができる。
【０１５８】
なお、上記実施形態３、４の表示装置３０１、４０１にあっては、少なくとも、スワイプ操作の開始時におけるタッチパネル１０５ａのユーザの接触位置を第１の位置として取得し、スワイプ操作の終了時におけるタッチパネル１０５ａのユーザの接触位置の座標が表示部１０４に表示されているアイコンＩｏと重なる当該スワイプ操作の回数を計数し、計数されるスワイプ操作の回数に応じた付加情報を、取得された第１の位置に関連する位置関連情報に付加して、アイコンＩｏと対応付けられている出力先に出力する構成であれば良い。
すなわち、実施形態３の表示装置３０１にあっては、必ずしも測定部１０７ｃ、第１判別部１０７ｄ、第１変位表示制御部１０７ｅ、指標表示制御部１０７ｆ、第１動作制御部１０７ｇ、位置入力部１０７ｈ、第３位置表示制御部３０７ｉを具備する必要ない。同様に、実施形態４の表示装置４０１にあっては、測定部１０７ｃ、第２判別部２０７ｄ、第２変位表示制御部２０７ｅ、指標表示制御部１０７ｆ、第２動作制御部２０７ｇ、位置入力部１０７ｈ、第４位置表示制御部４０７ｉを具備する必要はない。
【０１５９】
また、本発明は、上記実施形態１〜４に限定されることなく、本発明の趣旨を逸脱しない範囲において、種々の改良並びに設計の変更を行っても良い。
例えば、上述の実施形態においては、出力が可能な状態で出力先のアイコンＩｏを表示し、入力可能な状態で入力元のアイコンＩｉを表示するようにしていたが、これに限らず、常時出力先のアイコンＩｏや入力元のアイコンＩｉを表示するようにしてもよい。
この場合、出力先及び入力元の両方と対応付けられているアイコンとして、例えば、図示は省略するが、外向きに凸の三角形と内向きに凸の三角形とを組み合わせた菱形状をなし、内側に出力先及び入力元の名称が付されたものを用いても良い。なお、出力先及び入力元の名称は、出力先や入力元と同様に、出力先及び入力元の名称の略称であっても良く、例えば、表示装置１Ｂの場合には菱形状のアイコンの内側に「Ｂ」と付される。
【０１６０】
また、例えば、コンテンツ共有システム１００、表示装置１、２０１、３０１、４０１の構成は、上記実施形態１〜４に例示したものは一例であり、これに限られるものではない。
【０１６１】
加えて、上記実施形態１、２にあっては、第１位置取得手段、第１位置出力手段としての機能を、中央制御部１０１の制御下にて、第１位置取得部１０７ａ（第２位置取得部２０７ａ）、第１位置出力部１０７ｂ（第２位置出力部２０７ｂ）が駆動することにより実現される構成としたが、これに限られるものではなく、中央制御部１０１のＣＰＵによって所定のプログラム等が実行されることにより実現される構成としても良い。
すなわち、プログラムメモリ（図示略）に、第１位置取得処理ルーチン、第１位置出力処理ルーチンを含むプログラムを記録しておく。そして、第１位置取得処理ルーチンにより中央制御部１０１のＣＰＵに、ユーザによりタッチパネル１０５ａ上の異なる位置が連続して接触操作されるスワイプ操作（一連の接触操作）の開始時に表示部１０４に表示されているコンテンツの時間的な位置、又は、スワイプ操作の開始時におけるタッチパネル１０５ａのユーザの接触位置の座標に対応する表示部１０４に表示されているコンテンツの空間的な位置を取得する機能を実現させるようにしても良い。また、第１位置出力処理ルーチンにより中央制御部１０１のＣＰＵに、スワイプ操作の終了時におけるタッチパネル１０５ａのユーザの接触位置の座標と対応付けられている出力先に対して、取得されたコンテンツの時間的な位置又は空間的な位置に関連する位置関連情報を出力する機能を実現させるようにしても良い。
【０１６２】
同様に、上記実施形態３、４にあっては、第２位置取得手段、計数手段、第２位置出力手段としての機能を、中央制御部１０１の制御下にて、第３位置取得部３０７ａ（第４位置取得部４０７ａ）、計数部７ｋ、第３位置出力部３０７ｂ（第４位置出力部４０７ｂ）が駆動することにより実現される構成としたが、これに限られるものではなく、中央制御部１０１のＣＰＵによって所定のプログラム等が実行されることにより実現される構成としても良い。
すなわち、プログラムメモリ（図示略）に、第２位置取得処理ルーチン、計数処理ルーチン、第２位置出力処理ルーチンを含むプログラムを記録しておく。そして、第２位置取得処理ルーチンにより中央制御部１０１のＣＰＵに、ユーザによりタッチパネル１０５ａ上の異なる位置が連続して接触操作されるスワイプ操作（一連の接触操作）の開始時におけるタッチパネル１０５ａのユーザの接触位置を第１の位置として取得する機能を実現させるようにしても良い。また、計数処理ルーチンにより中央制御部１０１のＣＰＵに、一連の接触操作の終了時におけるタッチパネル１０５ａのユーザの接触位置の座標が表示部１０４に表示されている所定の指標と重なる当該スワイプ操作の回数を計数する機能を実現させるようにしても良い。また、第２位置出力処理ルーチンにより中央制御部１０１のＣＰＵに、計数されるスワイプ操作の回数に応じた付加情報を、取得された第１の位置に関連する位置関連情報に付加して、所定の指標と対応付けられている出力先に出力する機能を実現させるようにしても良い。
【０１６３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【０１６４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
タッチパネルと、
前記タッチパネルと対応付けられ、時間的な位置又は空間的な位置が変化するコンテンツを表示する表示手段と、
ユーザにより前記タッチパネル上の異なる位置が連続して接触操作される一連の接触操作の開始時に前記表示手段に表示されているコンテンツの時間的な位置、又は、前記一連の接触操作の開始時における前記タッチパネルのユーザの接触位置の座標に対応し、前記表示手段に表示されているコンテンツの空間的な位置を取得する第１位置取得手段と、
前記一連の接触操作の終了時における前記タッチパネルのユーザの接触位置の座標と対応付けられている出力先に対して、前記第１位置取得手段により取得された前記コンテンツの時間的な位置又は空間的な位置に関連する位置関連情報を出力する第１位置出力手段と、
を備えることを特徴とする出力装置。
＜請求項２＞
前記出力先は、所定の通信回線を介して通信可能な外部装置であり、
前記第１位置出力手段は、前記外部装置に対して、前記位置関連情報を前記所定の通信回線を介して出力することを特徴とする請求項１に記載の出力装置。
＜請求項３＞
前記第１位置出力手段は、前記第１位置取得手段により前記コンテンツの時間的な位置又は空間的な位置が取得される毎に、前記コンテンツの互いに異なる時間的な位置又は空間的な位置に関連する位置関連情報として出力することを特徴とする請求項１又は２に記載の出力装置。
＜請求項４＞
前記出力先は、前記表示手段に表示される所定の指標と対応付けられ、
前記第１位置出力手段は、前記一連の接触操作の終了時における前記タッチパネルのユーザの接触位置の座標が前記表示手段に表示されている前記所定の指標と重なる場合に、前記位置関連情報を前記所定の指標と対応付けられている出力先に出力することを特徴とする請求項３に記載の出力装置。
＜請求項５＞
前記一連の接触操作の終了時における前記タッチパネルのユーザの接触位置の座標が前記表示手段に表示されている前記所定の指標と重なる当該一連の接触操作の回数を計数する計数手段を更に備え、
前記第１位置出力手段は、前記計数手段により計数される前記一連の接触操作の回数に応じた付加情報を、前記位置関連情報に付加して出力することを特徴とする請求項４に記載の出力装置。
＜請求項６＞
前記第１位置取得手段による前記コンテンツの時間的な位置又は空間的な位置を取得する処理、及び前記第１位置出力手段による前記位置関連情報を出力する処理を行わせる第１の制御を行う制御手段と、
前記一連の接触操作が前記第１の制御を行うための操作であるか否かを判別する判別手段と、を更に備え、
前記制御手段は、前記判別手段により前記一連の接触操作が前記第１の制御を行うための操作であると判別された場合に、前記第１の制御を行うことを特徴とする請求項１〜５の何れか一項に記載の出力装置。
＜請求項７＞
前記一連の接触操作に応じて、前記表示手段上の座標とは異なる、前記表示手段に表示されている前記コンテンツの時間的な位置又は空間的な位置を変位させる表示制御を行う第１表示制御手段と、を更に備え、
前記制御手段は、前記判別手段により前記一連の接触操作が前記第１の制御を行うための操作でないと判別された場合に、前記第１表示制御手段による前記表示制御を行わせる第２の制御を行うことを特徴とする請求項６に記載の出力装置。
＜請求項８＞
前記コンテンツは、前記表示手段の表示領域よりも画像領域が広い静止コンテンツであり、
前記第１表示制御手段は、前記一連の接触操作に連動して、前記静止コンテンツのうちの前記表示手段の表示領域内に表示される画像領域を変位させる前記表示制御を行うとともに、前記一連の接触操作の終了時における前記タッチパネルのユーザの接触位置の座標が前記表示手段に表示されている所定の指標と重なる場合に、前記静止コンテンツのうちの前記表示手段の表示領域内に表示される画像領域が前記一連の接触操作前と同じ画像領域となるように前記表示制御を行うことを特徴とする請求項７に記載の出力装置。
＜請求項９＞
前記タッチパネル上の直線状の前記一連の接触操作の向きを測定する測定手段を更に備え、
前記判別手段は、前記測定手段により測定される前記一連の接触操作の向きが所定の範囲内に向かうものである場合に、前記一連の接触操作が前記第１の制御を行うための操作であると判別することを特徴とする請求項６〜８の何れか一項に記載の出力装置。
＜請求項１０＞
前記出力先は、前記表示手段に表示される所定の指標と対応付けられ、
前記判別手段により前記一連の接触操作が前記第１の制御を行うための操作であると判別された場合に、前記所定の指標を前記表示手段に表示させる第２表示制御手段、を更に備えることを特徴とする請求項９に記載の出力装置。
＜請求項１１＞
前記出力先は、前記表示手段に表示される所定の指標と対応付けられ、
ユーザの視線を検出する視線検出手段、を更に備え、
前記判別手段は、前記一連の接触操作の際に、前記視線検出手段により検出されるユーザの視線の先が前記表示手段に表示されている前記所定の指標である場合に、前記一連の接触操作が前記第１の制御を行うための操作であると判別することを特徴とする請求項６〜８の何れか一項に記載の出力装置。
＜請求項１２＞
前記出力先は、前記表示手段に表示される所定の指標と対応付けられ、
前記所定の指標と対応付けられている前記出力先に対して、前記第１位置出力手段により前記位置関連情報を出力可能であるか否かを識別可能な態様で当該所定の指標を前記表示手段に表示させる第３表示制御手段、を更に備えることを特徴とする請求項１〜１１の何れか一項に記載の出力装置。
＜請求項１３＞
前記第１位置出力手段は、前記位置関連情報とともに、前記コンテンツを特定するための情報を前記出力先に出力することを特徴とする請求項１〜１２の何れか一項に記載の出力装置。
＜請求項１４＞
前記一連の接触操作の開始時における前記タッチパネルのユーザの接触位置の座標が前記表示手段に表示されている前記所定の指標と重なり、且つ、前記一連の接触操作の終了時における前記タッチパネルのユーザの接触位置の座標が前記表示手段の表示領域の所定領域内である場合に、前記所定の指標に対応付けられている出力先を入力元として、前記第１位置出力手段から出力された前記位置関連情報を入力する位置入力手段と、
前記位置入力手段により入力された前記位置関連情報に基づいて、前記コンテンツの時間的な位置又は空間的な位置で当該コンテンツを前記表示手段に表示させる第４表示制御手段と、を更に備えることを特徴とする請求項４、１０、１１の何れか一項に記載の出力装置。
＜請求項１５＞
前記位置入力手段は、前記入力元の前記第１位置出力手段から出力される前記コンテンツの互いに異なる時間的な位置又は空間的な位置に関連する複数の前記位置関連情報の中から何れかを選択して入力することを特徴とする請求項１４に記載の出力装置。
＜請求項１６＞
前記所定の指標と対応付けられている前記入力元から、前記位置入力手段により前記位置関連情報を入力可能であるか否かを識別可能な態様で当該所定の指標を前記表示手段に表示させる第５表示制御手段を更に備えることを特徴とする請求項１４又は１５に記載の出力装置。
＜請求項１７＞
前記位置入力手段は、前記入力元の前記第１位置出力手段から出力された前記位置関連情報とともに前記コンテンツを特定するための情報を入力することを特徴とする請求項１４〜１６の何れか一項に記載の出力装置。
＜請求項１８＞
タッチパネルと対応付けられている表示手段を備える出力装置であって、
ユーザにより前記タッチパネル上の異なる位置が連続して接触操作される一連の接触操作の開始時における前記タッチパネルのユーザの接触位置を第１の位置として取得する第２位置取得手段と、
前記一連の接触操作の終了時における前記タッチパネルのユーザの接触位置の座標が前記表示手段に表示されている所定の指標と重なる当該一連の接触操作の回数を計数する計数手段と、
前記計数手段により計数される前記一連の接触操作の回数に応じた付加情報を、前記第２位置取得手段により取得された前記第１の位置に関連する位置関連情報に付加して、前記所定の指標と対応付けられている出力先に出力する第２位置出力手段と、
を備えることを特徴とする出力装置。
＜請求項１９＞
前記第２位置取得手段は、前記一連の接触操作の開始時に出力されているコンテンツの時間的な位置、又は、前記一連の接触操作の開始時における前記タッチパネルのユーザの接触位置の座標に対応する前記コンテンツの空間的な位置を前記第１の位置として取得することを特徴とする請求項１８に記載の出力装置。
＜請求項２０＞
前記第２位置出力手段は、前記計数手段により計数される前記一連の接触操作の回数に応じて、コンテンツの注目位置、出力開始位置及び出力終了位置のうちの何れかを示す付加情報を前記位置関連情報に付加して出力することを特徴とする請求項１８又は１９に記載の出力装置。
＜請求項２１＞
前記計数手段により計数される前記一連の接触操作の回数に応じて前記所定の指標の表示態様を変化させる第６表示制御手段を更に備えることを特徴とする請求項１８〜２０の何れか一項に記載の出力装置。
＜請求項２２＞
前記第２位置出力手段は、前記位置関連情報とともに、前記コンテンツを特定するための情報を前記出力先に出力することを特徴とする請求項１８〜２１の何れか一項に記載の出力装置。
＜請求項２３＞
タッチパネルと対応付けられ、時間的な位置又は空間的な位置が変化するコンテンツを表示する表示手段を備える出力装置を用いた出力方法であって、
ユーザにより前記タッチパネル上の異なる位置が連続して接触操作される一連の接触操作の開始時に前記表示手段に表示されているコンテンツの時間的な位置、又は、前記一連の接触操作の開始時における前記タッチパネルのユーザの接触位置の座標に対応し、前記表示手段に表示されている前記コンテンツの空間的な位置を取得する処理と、
前記一連の接触操作の終了時における前記タッチパネルのユーザの接触位置の座標と対応付けられている出力先に対して、取得された前記コンテンツの時間的な位置又は空間的な位置に関連する位置関連情報を出力する処理と、
を含むことを特徴とする出力方法。
＜請求項２４＞
タッチパネルと対応付けられている表示手段を備える出力装置を用いた出力方法であって、
ユーザにより前記タッチパネル上の異なる位置が連続して接触操作される一連の接触操作の開始時における前記タッチパネルのユーザの接触位置を第１の位置として取得する処理と、
前記一連の接触操作の終了時における前記タッチパネルのユーザの接触位置の座標が前記表示手段に表示されている所定の指標と重なる当該一連の接触操作の回数を計数する処理と、
計数される前記一連の接触操作の回数に応じた付加情報を、取得された前記第１の位置に関連する位置関連情報に付加して、前記所定の指標と対応付けられている出力先に出力する処理と、
を含むことを特徴とする出力方法。
＜請求項２５＞
タッチパネルと対応付けられ、時間的な位置又は空間的な位置が変化するコンテンツを表示する表示手段を備える出力装置のコンピュータに、
ユーザにより前記タッチパネル上の異なる位置が連続して接触操作される一連の接触操作の開始時に前記表示手段に表示されているコンテンツの時間的な位置、又は、前記一連の接触操作の開始時における前記タッチパネルのユーザの接触位置の座標に対応し、前記表示手段に表示されている前記コンテンツの空間的な位置を取得する機能、
前記一連の接触操作の終了時における前記タッチパネルのユーザの接触位置の座標と対応付けられている出力先に対して、取得された前記コンテンツの時間的な位置又は空間的な位置に関連する位置関連情報を出力する機能、
を実現させることを特徴とするプログラム。
＜請求項２６＞
タッチパネルと対応付けられている表示手段を備える出力装置を用いた出力方法のコンピュータに、
ユーザにより前記タッチパネル上の異なる位置が連続して接触操作される一連の接触操作の開始時における前記タッチパネルのユーザの接触位置を第１の位置として取得する機能、
前記一連の接触操作の終了時における前記タッチパネルのユーザの接触位置の座標が前記表示手段に表示されている所定の指標と重なる当該一連の接触操作の回数を計数する機能、
計数される前記一連の接触操作の回数に応じた付加情報を、取得された前記第１の位置に関連する位置関連情報に付加して、前記所定の指標と対応付けられている出力先に出力する機能、
を実現させることを特徴とするプログラム。
【符号の説明】
【０１６５】
１００    コンテンツ共有システム
１、２０１、３０１、４０１  表示装置
１０１    中央制御部
１０４    表示部
１０４ａ  表示パネル
１０５    操作入力部
１０５ａ  タッチパネル
１０７    第１動作処理部
１０７ａ  第１位置取得部、１０７ｂ  第１位置出力部、１０７ｃ  測定部、１０７ｄ  第１判別部、１０７ｅ  第１変位表示制御部、１０７ｆ  指標表示制御部、１０７ｇ  第１動作制御部、１０７ｈ  位置入力部、１０７ｉ  第１位置表示制御部
２０７    第２動作処理部
２０７ａ  第２位置取得部、２０７ｂ  第２位置出力部、２０７ｄ  第２判別部、２０７ｅ  第２変位表示制御部、２０７ｇ  第２動作制御部、２０７ｉ  第２位置表示制御部
３０７    第３動作処理部
３０７ａ  第３位置取得部、３０７ｂ  第３位置出力部、３０７ｉ  第３位置表示制御部
４０７    第４動作処理部
４０７ａ  第４位置取得部、４０７ｂ  第４位置出力部、４０７ｉ  第４位置表示制御部
７ｊ      視線検出部
７ｋ      計数部
Ｎ        通信ネットワーク
【図１】
0006662082.tif 000002
【図２】
0006662082.tif 000003
【図３】
0006662082.tif 000004
【図４】
0006662082.tif 000005
【図５】
0006662082.tif 000006
【図６】
0006662082.tif 000007
【図７】
0006662082.tif 000008
【図８】
0006662082.tif 000009
【図９】
0006662082.tif 000010
【図１０】
0006662082.tif 000011
【図１１】
0006662082.tif 000012
【図１２】
0006662082.tif 000013
【図１３】
0006662082.tif 000014
【図１４】
0006662082.tif 000015
【図１５】
0006662082.tif 000016
【図１６】
0006662082.tif 000017
【図１７】
0006662082.tif 000018
【図１８】
0006662082.tif 000019
【図１９】
0006662082.tif 000020
【図２０】
0006662082.tif 000021
【図２１】
0006662082.tif 000022